(57)【特許請求の範囲】
【請求項１】
第１コンテンツ及び第２コンテンツを含む複数のコンテンツを表示するように構成されたディスプレイ装置；
ＮＦＣ可能移動端末が少なくとも一つのＮＦＣアンテナをタギングしてＮＦＣ可能移動端末と少なくとも一つのＮＦＣアンテナとの間にＮＦＣチャネルを形成するとき、ＮＦＣ可能移動端末に送出するための複数のコンテンツ関連データを提供するように構成された少なくとも一つのＮＦＣアンテナを含む近距離無線通信（ＮＦＣ）モジュール；及び
前記複数のコンテンツをディスプレイ装置に提供するとともに前記複数のコンテンツ関連データをＮＦＣモジュールに提供するために前記ディスプレイ装置及び前記ＮＦＣアンテナに連結された運用コントローラ；を含み、
前記第１及び第２コンテンツが前記ディスプレイ装置に表示されているうちに前記第１及び第２コンテンツのいずれか一つを選択するように構成され、
前記第１コンテンツが選択されたとき、前記運用コントローラは、前記ＮＦＣモジュールが前記少なくとも一つのＮＦＣアンテナのＮＦＣ可能移動端末とのタギングに応じて前記第１コンテンツ関連第１データを前記ＮＦＣ可能移動端末に送出するように構成され、
前記ディスプレイ装置は、前記複数のコンテンツのいずれか一つをタッチで選択することができるように構成されたタッチアクティブスクリーンを含み、前記運用コントローラは、前記ディスプレイ装置が前記第１コンテンツを含んだ複数のコンテンツを表示しているうちに前記第１コンテンツがタッチで選択された後にＮＦＣ可能移動端末とのタギングに応じてＮＦＣモジュールが前記第１コンテンツ関連第１データをＮＦＣ可能移動端末に送出するように前記ディスプレイ装置及び前記ＮＦＣモジュールを制御するように構成され、
前記ディスプレイ装置は、前記複数のコンテンツのいずれか一つをタッチで選択することができるように構成されたタッチアクティブスクリーンを含み、前記運用コントローラは、前記ディスプレイ装置が前記第１コンテンツを含んだ前記複数のコンテンツを表示しているうちにコンテンツが選択されなかった場合に前記ＮＦＣ可能移動端末とのタギングに応じて前記ＮＦＣモジュールが前記第２コンテンツ関連第２データを前記ＮＦＣ可能移動端末に送出するように前記ディスプレイ装置及び前記ＮＦＣモジュールを制御するように構成されることを特徴とする、装置。
【請求項２】
前記運用コントローラは、前記ディスプレイ装置が前記第２コンテンツを表示しているうちに前記ＮＦＣ可能移動端末が前記少なくとも一つのＮＦＣアンテナをタギングするとき、前記少なくとも一つのＮＦＣアンテナが前記第２コンテンツ関連第２データを前記ＮＦＣ可能移動端末に送出するように前記ディスプレイ装置及び前記ＮＦＣモジュールを制御するように構成されることを特徴とする、請求項１に記載の装置。
【請求項３】
前記運用コントローラは、前記装置の外部のコンテンツマネージメントサーバーから前記複数のコンテンツ及び前記複数のコンテンツ関連データを受信するように構成されることを特徴とする、請求項１に記載の装置。
【請求項４】
前記運用コントローラは、前記複数のコンテンツを表示し前記複数のコンテンツ関連データを提供するとき、前記ディスプレイ装置と前記ＮＦＣモジュールが互いに同期するように前記ディスプレイ装置及び前記ＮＦＣモジュールを制御するように構成されることを特徴とする、請求項１に記載の装置。
【請求項５】
前記少なくとも一つのアンテナは第１ＮＦＣアンテナ及び第２ＮＦＣアンテナを含み、前記第１ＮＦＣアンテナは、ＮＦＣ可能移動端末とのタギングの際に送出するための第１コンテンツ関連第１データがロードされるように構成され、前記第２ＮＦＣアンテナはＮＦＣ可能移動端末とのタギングの際に送出するための第２コンテンツ関連第２データがロードされるように構成されることを特徴とする、請求項１、２、３、４に記載の装置。
【請求項６】
前記ディスプレイ装置に表示される複数のコンテンツの中で少なくとも一つに関連した少なくとも一つのコードを表示するように構成されたコードディスプレイをさらに含み、前記運用コントローラは、前記ディスプレイ装置が前記第１コンテンツを表示するとき、前記コードディスプレイが前記第１コンテンツに関連した第１コードを表示するように前記ディスプレイ装置及び前記コードディスプレイを制御するように構成されることを特徴とする、請求項１、２、３、４に記載の装置。
【請求項７】
前記第１コンテンツはマルチメディアコンテンツを含み、前記第１コンテンツは第１商品の広告を含み、前記第１コンテンツに関連した第１データは第１商品に関連した他のコンテンツを表示させるように構成されたデータをさらに含むことを特徴とする、請求項１、２、３、４に記載の装置。
【請求項８】
前記ＮＦＣモジュールはカードモード及びリードモードで運用されるように構成され、前記ＮＦＣ可能移動端末はカードモード及びリードモードで運用されるように構成され、前記ＮＦＣモジュールは、前記ＮＦＣ可能移動端末がカードモードにあるとともに前記ＮＦＣモジュールがリードモードにあるうちに前記ＮＦＣ可能移動端末が前記少なくとも一つのＮＦＣアンテナとタギングするとき、モード転換要請を前記ＮＦＣ可能移動端末に送出するようにプログラムされ、前記ＮＦＣモジュールは、前記ＮＦＣ可能移動端末のモードがカードモードからリードモードに切り替えられたことを指示するモード転換確認を前記ＮＦＣ可能移動端末から受けたとき、リードモードからカードモードに切り替えられるようにプログラムされることを特徴とする、請求項１、２、３、４に記載の装置。
【請求項９】
請求項１、２、３、４の装置；及び
前記装置の外部に設けられ、前記複数のコンテンツ及び前記複数のコンテンツ関連データを前記装置に供給するように構成されたコンテンツマネージメントサーバー；を含むことを特徴とする、電子看板。
【請求項１０】
前記ディスプレイ装置が前記第１コンテンツを表示しているうちに前記少なくとも一つのＮＦＣアンテナとタギングするとき、前記第１コンテンツ関連の前記第１データを前記少なくとも一つのＮＦＣアンテナから受けるように構成されることを特徴とする、請求項９に記載の電子看板。
【請求項１１】
第１ＮＦＣ可能移動端末はカードモード及びリードモードで運用されるように構成され、前記ＮＦＣモジュールはカードモード及びリードモードで運用されるように構成され、前記ＮＦＣモジュールは、前記第１ＮＦＣ可能移動端末がカードモードにあるとともに前記ＮＦＣモジュールがリードモードにあるうちに前記第１ＮＦＣ可能移動端末が前記少なくとも一つのＮＦＣアンテナとタギングするとき、モード転換要請を前記第１ＮＦＣ可能移動端末に送出するように構成され、前記ＮＦＣモジュールは、前記第１ＮＦＣ可能移動端末のモードがカードモードからリードモードに切り替えられたことを指示するモード転換確認を前記第１ＮＦＣ可能移動端末から受けるとき、リードモードからカードモードに切り替えられるようにプログラムされることを特徴とする、請求項９に記載の電子看板。
【請求項１２】
請求項１、２、３、４に記載の装置において行われる広告分配方法であって；
第１コンテンツがディスプレイ装置に表示されると同時に第２コンテンツも前記ディスプレイ装置に表示されるように第１コンテンツ及び第２コンテンツを含む複数のコンテンツをディスプレイ装置に表示する段階；
前記第１コンテンツ及び第２コンテンツの両者が前記ディスプレイ装置に表示されているうちに前記第１及び第２コンテンツのいずれか一つを選択する入力を受ける段階；
前記入力によって前記第１コンテンツが選択されたときに前記少なくとも一つのＮＦＣアンテナで前記第１データが利用でき、前記入力によって前記第２コンテンツが選択されたときに前記少なくとも一つのＮＦＣアンテナで前記第２データが利用できるように前記第１及び第２コンテンツの中で選択されたコンテンツ関連のデータを前記ＮＦＣモジュールに提供する段階；
前記少なくとも一つのＮＦＣアンテナのＮＦＣ可能移動端末とのタギングに応じて、前記少なくとも一つのＮＦＣアンテナと前記ＮＦＣ可能移動端末との間にＮＦＣチャネルを形成する段階；及び
前記選択されたコンテンツ関連のデータを前記ＮＦＣチャネルを介して前記ＮＦＣ可能移動端末に送出するに際し、前記入力によって前記第１コンテンツが選択されたときは前記第１データを前記ＮＦＣ可能移動端末に送出する一方、前記入力によって前記第２データが選択されたときは前記第２データを前記ＮＦＣ可能移動端末に送出する段階；を含むことを特徴とする、広告分配方法。
【請求項１３】
前記第１及び第２コンテンツをコンテンツマネージメントサーバーから受ける段階；及び
前記第１及び第２データを前記コンテンツマネージメントサーバーから受ける段階；をさらに含むことを特徴とする、請求項１２に記載の広告分配方法。
【請求項１４】
前記複数のコンテンツを前記装置に供給する段階；及び
前記複数のコンテンツ関連のデータを前記装置に供給する段階；をさらに含むことを特徴とする、請求項１２に記載の広告分配方法。
【請求項１５】
前記ＮＦＣモジュールはカードモード及びリードモードで運用されるように構成され、前記ＮＦＣ可能移動端末はカードモード及びリードモードで運用されるように構成され、前記ＮＦＣチャネルを形成する段階は：
前記少なくとも一つのＮＦＣアンテナの前記ＮＦＣ可能移動端末とのタギングを検出する段階；
前記ＮＦＣ可能移動端末がカードモードにあるとともに前記ＮＦＣモジュールがリードモードにあるとき、モード転換要請を前記装置から前記ＮＦＣ可能移動端末に伝送する段階；
前記ＮＦＣ可能移動端末のモードがカードモードからリードモードに切り替えられたことを指示するモード転換確認を前記ＮＦＣ可能移動端末から受ける段階；及び
前記ＮＦＣモジュールのモードをリードモードからカードモードに切り替える段階；を含むことを特徴とする、請求項１２に記載の広告分配方法。
【発明の詳細な説明】
【技術分野】
【０００１】
本発明は移動端末に広告の情報をデータとして提供することに関するものである。
【背景技術】
【０００２】
広告は、特定の商品、用役、サービスなど（以下、商品という）の販売及び流通を促進するために、潜在的な消費者、顧客に商品についての特徴的情報を提供するもので、一（単）方向通信にあたる。
【０００３】
広告媒体の種類には、壁紙、ポスター、看板、街施設物、散らし、ラジオと映画及びＴＶの広告、ウェブ上のバナー広告及びポップアップ広告、雑誌、新聞、ステッカー、ショッピングカートなどのように非常に多様な媒体を使うことができる。
【０００４】
しかし、このような広告媒体は静止画像を使うので、提供する情報の量が制限的であり、近年には動画情報を使っているが、一旦過ぎ去った動画は繰り返して確認するとか分析することができない１回性情報が一般的である。
【０００５】
一方、移動端末は移動通信システムに無線で接続して移動しながらいつでもどこでも所望の相手と直ちに無線で接続して通信する便利な利点がある通信装備である。このような移動端末は、いつどこで発生するかも知れない通信の特性によっていつも携帯し、実際に通信に使用する時間が非常に少ないため活用率が低い。
【０００６】
したがって、移動端末の活用率を高めるために、電子ブック（Ｅ−ｂｏｏｋ）、ＭＰ３、カメラ、録音機、スキャナ、マルチメディア再生装置、ゲーム機などの付加機能を追加しており、近年にはタブレットコンピュータの機能が加わってスマートフォンという名前として紹介されており、このような付加機能を付け加える開発は続く趨勢である。
【０００７】
また、移動端末にＢｌｕｅｔｏｏｔｈ、ＲＦＩＤ、ＮＦＣなどの近距離無線通信機能を付け加え、商品の履歴情報を管理するタグ、電子決済スマートカード、一対一で通信するＰ２Ｐなどの機能が付け加えられている。
【０００８】
従来技術による広告媒体は提供する情報が一（１）回性であり、広告がなされる場所から遠く移動すれば広告の内容をまた確認することができなく、動画広告媒体の場合には、時間によって過ぎ去った動画広告の内容をまた確認することができなく、動画で表現することができない情報が含まれることができ、広告がなされる場所から移動すれば、広告の内容をまた確認することができない問題が依然として残っている。
【０００９】
すなわち、広告媒体によって広告がなされる場所から遠距離に移動すれば、広告の内容をまた確認することができなく、静止画像の広告は表現することができる情報の量が比較的少なく、動画の広告は時刻表などのように長時間にわたって検討及び分析しなければならない情報を表示しにくい問題が依然として残っている。
【００１０】
したがって、広告の内容を広告媒体から受けて移動端末に記録して広告媒体から遠く移動した状態で該当の広告の内容を繰り返し確認して分析することが必要な場合は、繰り返し確認及び長時間にわたる分析のような技術を開発する必要がある。
【００１１】
移動端末は移動通信システムが形成するサービス領域内で自由に移動しながら所望の相手と無線で接続して通信する装備であり、いつどこで発生するかも知れない通信に備えていつも携帯する移動端末は通信に実際使用する時間が非常に少なくて活用率が低く、ＭＰ３、カメラ、録音機、マルチメディア再生機、ゲーム機、小型コンピュータなどの機能を付け加えて活用度を高める趨勢であり、近年には電子決済、Ｐ２Ｐ通信、タグなどのための近距離無線通信（ＮＦＣ）機能を付け加えてその活用度を一層高めている。
【００１２】
近年の移動端末は近距離無線通信（ＮＦＣ：ｎｅａｒ
ｆｉｅｌｄ ｃｏｍｍｕｎｉｃａｔｉｏｎ）機能を備える趨勢なので、以下の説明で移動端末はＮＦＣ移動端末に定義して説明する。
【００１３】
また、通信技術の発達と製造技術の開発及び大量生産技術の向上などによってＮＦＣ移動端末の価格及び通信コストが低くなり、個人通信手段の時代となって平均的に大人１人当たり１台のＮＦＣ移動端末を持つようになった。
【００１４】
一方、商品を購買する買い手は、該当の商品について事前知識を持っており、必要に応じて選択された商品を購買し、販売者は多くの買い手によって自分の商品が選択されるように商品の特徴などを強調して広報または広告することが一般的である。
買い手は、同種ないし類似種の商品が多数である場合、最適の選択のためにしばらくためらうか悩むことができる。
【００１５】
そして、各商品には、製品名、製造社、価格、発売開始日付、有効期間、一連番号、積載位置などの情報を含蓄的に含むバーコード（ｂａｒ−ｃｏｄｅ）またはＱＲコード（ＱＲ−ｃｏｄｅ）を表示する。
【００１６】
従来技術による商品の広告、使用説明、機能などの情報は別途の散らし、マニュアル、広報物などによって不連続的で集中的な方式のイベント（ｅｖｅｎｔ）として広告されている。
【００１７】
したがって、商品の使用者または買い手は商品を広告するイベント時期に該当の情報を取得して知り得るが、その確率が落ち、また該当のイベントに参加して商品の広告情報を知っている場合にも時間が経てば忘れて広告の効果が落ちる問題がある。
【００１８】
特に、商品の具体的な広告情報、流通期限、利用方法などの情報は随時変更されて更新されるので、正確な情報を買い手に伝達しにくい問題が依然として残っている。
【００１９】
したがって、商品に表示されたＱＲコードまたはバーコード（以下、光学コードと言う）を用いて買い手が必要とするかあるいは知らせる必要がある広告情報、広報情報、商品名称、出庫日付、流通期限、製造社、一連番号、価格情報などを含む商品についての特徴的な情報（以下、商品情報と言う）を提供する技術を開発する必要がある。
【００２０】
特に、各商品に表示された光学コードに含まれる商品情報を各個人が携帯するＮＦＣ移動端末に近距離無線通信で提供し、買い手が正確な商品情報を速かに確認するようにする技術を開発する必要がある。
【００２１】
移動端末は移動通信システムが形成するサービス領域内で自由に移動しながら所望の相手と無線で接続して通信する装備であり、いつどこで生成するかも知れない通信に備えていつも携帯する移動端末は通信に実際使用する時間が非常に少なくて活用率が低く、ＭＰ３、カメラ、録音機、マルチメディア再生機、ゲーム機、小型コンピュータなどの機能を付け加えて活用度を高める趨勢であり、近年には電子決済、Ｐ２Ｐ通信、タグなどのための近距離無線通信（ＮＦＣ）機能を付け加えてその活用度を一層高めている。
【００２２】
近年の移動端末は近距離無線通信（ＮＦＣ：ｎｅａｒ
ｆｉｅｌｄ ｃｏｍｍｕｎｉｃａｔｉｏｎ）機能を備えている趨勢なので、以下の説明で移動端末はＮＦＣ端末に定義して説明する。
【００２３】
また、通信技術の発達、製造技術の開発及び大量生産技術の向上などによってＮＦＣ端末の価格及び通信コストが低くなり、個人通信手段時代となって平均的に大人１人当たり１台のＮＦＣ端末を持つようになった。
【００２４】
一方、現代には、街で、壁紙、ポスター、看板、街施設物、散らし、ラジオと映画及びＴＶ、ウェブバナー及びポップアップ、雑誌、新聞、ステッカーなどによって写真、音声または動画形態の多様なコンテンツが人間に提供されている。
【００２５】
特に、このようなコンテンツの提供は商品の広告のために人々に露出させる形態として活用し、露出されるコンテンツそのものの販売を目的とする商業的用途に露出させる場合も存在する。
【００２６】
しかし、このようなコンテンツは一般的に静止画像を使うので、提供する情報の量が制限的であり、近年には動画情報を使っているが、一旦過ぎ去った動画は繰り返して確認するか分析することができない１回性情報が一般的である。
【００２７】
一方、移動端末は移動通信システムに無線で接続して移動しながらいつでもどこでも所望の相手と直ちに無線で接続して通信する便利な利点がある通信装備である。このような移動端末はいつどこで生成するかも知れない通信の特性によっていつも携帯して、実際に通信に使用する時間が非常に少なくて活用率が低い。
【００２８】
したがって、移動端末の活用率を高めるために、電子ブック（Ｅ−ｂｏｏｋ）、ＭＰ３、カメラ、録音機、スキャナ、マルチメディア再生装置、ゲーム機などの付加機能を付け加えており、近年にはタブレットコンピュータ機能が加わってスマートフォンという名前として紹介されており、このような付加機能を付け加える開発は続く趨勢である。
【００２９】
また、移動端末にＢｌｕｅｔｏｏｔｈ、ＲＦＩＤ、ＮＦＣなどの近距離無線通信機能を付け加えて商品の履歴情報を管理するタグ、電子決済スマートカード、一対一通信のＰ２Ｐなどの機能が加わっている。
【００３０】
従来技術によるコンテンツは提供する情報が一（１）回性であり、コンテンツが提供される場所から遠く移動すれば、コンテンツの内容をまた確認することができなく、動画コンテンツの場合には、時間経過によって過ぎ去ったコンテンツの内容をまた確認することができなく、コンテンツが再生される場所から移動すれば、コンテンツの内容をまた確認することができない問題が依然として残っている。
【００３１】
一例として、コンテンツを広告に活用する場合、広告コンテンツによって広告が行われる場所から遠距離に移動すれば、広告の内容をまた確認することができなく、静止画像の広告は表現することができる情報の量が比較的小さく、動画の広告は時刻表などのように長時間のうちに検討及び分析しなければならない情報を表示しにくい問題が依然として残っている。
【００３２】
したがって、コンテンツの内容を受けて移動端末に記録し、コンテンツから遠く移動した状態で該当のコンテンツの内容を繰り返し確認して分析する必要がある場合は繰り返し確認及び長時間にわたる分析のための技術を開発する必要がある。
【発明の概要】
【発明が解決しようとする課題】
【００３３】
本発明が解決しようとする課題は、広告出力媒体から広告の内容をデータとして受けて移動端末に記録して遠く移動した状態で、必要な場合に繰り返し再生して確認し、広告の内容を長時間にわたってゆっくり検討することができるスマート広告情報提供システムを提供することにある。
また、本発明が解決しようとする課題は、一つの広告出力媒体を用いて種々の多数の広告を出力するスマート広告情報提供システムを提供することにある。
【００３４】
また、本発明が解決しようとする課題は、商品に表示された光学コードを認識し、光学コードに含まれた商品情報をＮＦＣタグアプレット情報に変換してＮＦＣ移動端末に伝送して確認するようにする商品情報提供システムを提供することにある。
【００３５】
また、本発明が解決しようとする課題は、コンテンツ出力装置からコンテンツの内容をタグデータとして受けて移動端末に記録することができるＮＦＣタグ生成装置及び伝送方法を提供することにある。
【００３６】
また、本発明が解決しようとする課題は、一つのコンテンツ出力装置を用いて種々の多数のコンテンツを出力して該当のコンテンツに適した伝送方式を設定するＮＦＣタグ生成装置及び伝送方法を提供することにある。
【課題を解決するための手段】
【００３７】
前記のような目的を達成するためになされた本発明は、初期にカードモードで運用され、モード転換要請に応じてリードモードに切り換え、識別子情報を検索して出力し、広告用媒体のデータをタギングで受信する移動端末；前記移動端末のモード転換要請に応じて初期に運用されるリードモードからカードモードに切り換え、受信された広告用媒体をマルチメディアとして出力し、前記移動端末がタギングすれば、前記広告用媒体をデータとして送出して伝達するスマートパネル部；及び前記スマートパネル部の要請に応じて前記広告用媒体を検索するかあるいは実時間で生成し、マッチングするタグアプレットとともに出力して提供する広告マネージメントサーバー；を含むスマート広告情報提供システムを提示する。
【００３８】
好ましくは、前記スマートパネル部は、前記広告マネージメントサーバーから前記広告用媒体と前記マッチングするタグアプレットをそれぞれ受信して割当領域に記録するパネル運用部；及び前記パネル運用部の制御によって前記広告用媒体をマルチメディア信号として出力し、前記マッチングしたタグアプレットを送出し、前記移動端末が前記送出されたタグアプレットにタギングすれば、前記広告用媒体をデータとして送出する広告出力部；を含んでなる。
【００３９】
ここで、前記広告出力部は、前記パネル運用部の制御によって前記広告用媒体をマルチメディア信号として出力する出力部；及び前記パネル運用部の制御によって前記マッチングしたタグアプレットと前記広告用媒体のいずれか一つのデータを選択的に送出するアンテナ部；を含み、前記アンテナ部は、前記マッチングしたタグアプレットが送出された状態で前記移動端末のタギングを検出して前記パネル運用部に伝達する。
【００４０】
そして、前記パネル運用部は、前記広告マネージメントサーバーに接続し、要請に応じて提供される前記広告用媒体を受信するプロセス部；前記プロセス部の制御によって前記広告用媒体と前記マッチングしたタグアプレットをそれぞれ割当領域に記録して格納するタグアプレット部；前記プロセス部の制御によって前記広告出力部に前記移動端末がタギングしたことが検出されれば、前記広告用媒体をデータとして出力して送出するＮＦＣコントローラ部；及び前記プロセス部の制御によって前記広告用媒体をマルチメディア信号として出力する広告信号処理部；を含み、前記ＮＦＣコントローラ部は、前記移動端末がタギングすればリードモードに切り換えるように要請し、前記移動端末のリードモード転換を確認した後にカードモードに切り換える。
【００４１】
また、前記出力部と前記アンテナ部はそれぞれ多数でなり、前記多数の出力部とアンテナ部は互いに関連して一対をなし、多数対でなり、前記一対をなす出力部は、前記パネル運用部を構成する広告信号処理部に接続して前記広告用媒体を出力し、前記一対をなすアンテナ部は前記パネル運用部を構成するＮＦＣコントローラ部に接続して前記マッチングしたタグアプレットと前記広告用媒体のデータのいずれか一つを選択的に送出する。
【００４２】
一方、前記広告信号処理部は、前記プロセス部の制御によって多数の広告用媒体をそれぞれ時間差を置いて出力し、前記ＮＦＣコントローラ部は、前記広告信号処理部が前記広告用媒体を出力する時間にマッチングしたタグアプレットを出力し、前記マッチングしたタグアプレットが出力される時間に前記移動端末のタギングが検出されれば前記広告用媒体のデータを出力する。
【００４３】
そして、前記広告マネージメントサーバーは、前記スマートパネル部からタグアプレットの提供要請信号を受信する制御部；前記制御部の制御によって前記広告用媒体を実時間で生成するか検索し、マッチングしたタグアプレットを生成して前記スマートパネル部に伝送する広告送出ＤＢ部；及び前記制御部の制御によって前記広告用媒体と前記広告用媒体にマッチングするタグアプレットをテーブルにそれぞれ記録するタグアプレットＤＢ部；を含んでなる。
また、前記広告マネージメントサーバーは、前記制御部の制御によって前記タグアプレットを生成する広告タグアプレット部；をさらに含んでなる。
【００４４】
ここで、前記移動端末はＱＲコードとバーコードをスキャンするスキャナ部；をさらに含み、前記スマートパネル部は、前記ＱＲコードを分析するＱＲコード分析部と、前記バーコードを分析するバーコード分析部と、前記ＱＲコードとバーコードのタグアプレットを送出するコード送出部と；をさらに含み、前記広告マネージメントサーバーは、前記ＱＲコードのタグアプレットを生成するＱＲコードタグアプレット部と、前記バーコードのタグアプレットを生成するバーコードタグアプレット部と；をさらに含んでなる。
【００４５】
また、前記のような目的を達成するためになされた本発明は、商品の光学コードを撮影して表示するパネル部と前記パネル部が撮影した光学コードを認識して商品データに変換する運用部とを含む器機部；及び前記運用部が伝送した商品データを印加受けてタグアプレットに変換して前記運用部に伝送するサーバー部；を含み、前記運用部は、前記サーバー部が伝送したタグアプレットを記録してＮＦＣ信号に変換して前記パネル部に出力し、前記パネル部は、タギングしたＮＦＣ移動端末に前記タグアプレットをＮＦＣの近距離無線通信で送信する。
【００４６】
好ましくは、前記パネル部は、前記商品のＱＲコードでなった光学コードを撮影するカメラ部；前記カメラ部が撮影した光学コードを出力して表示する出力部；及び前記運用部が出力したタグアプレットを近距離無線通信信号に無線で送信するＮＦＣアンテナ部；を含んでなる。
【００４７】
そして、前記運用部は、前記パネル部が撮影した光学コードを受け、ＱＲコードを認識して分析して商品データに変換するＱＲ分析部；前記ＱＲ分析部の商品データを受けて前記サーバー部に出力し、前記サーバー部からタグアプレットを受信するプロセス部；前記プロセス部の制御によって前記タグアプレットをＮＦＣ信号に変換して前記パネル部に出力するＮＦＣコントローラ部；及び前記ＮＦＣコントローラ部の制御によって前記タグアプレットを記録するか削除するタグアプレット記録部；を含んでなる。
ここで、前記パネル部は、前記商品のバーコードでなった光学コードをスキャンするバーコードスキャナー部；をさらに含んでなる。
また、前記運用部は、前記パネル部の光学コードを受け、バーコードを認識して分析して商品データに変換するバーコード分析部；をさらに含んでなる。
【００４８】
前記のような目的を達成するためになされた本発明は、商品の光学コードを撮影して表示するパネル部と前記パネル部が撮影した光学コードを認識して商品データに変換する運用部とを含む器機部；及び前記運用部が伝送した商品データを受け、タグアプレットに変換して前記運用部に伝送するサーバー部；を含み、前記運用部は、前記サーバー部が伝送したタグアプレットを記録してＮＦＣ信号に変換して前記パネル部に出力し、前記パネル部は、タギングしたＮＦＣ移動端末に前記タグアプレットをＮＦＣの近距離無線通信で送信し、前記サーバー部は、前記運用部の商品データを受けてタグアプレットに変換するタグアプレット発給部；前記運用部の商品データを受け、該当の商品情報を検索する商品情報ＤＢ部；及び前記商品情報ＤＢ部が検索した商品情報を前記タグアプレット発給部に印加し、前記商品データとマッチングした状態のタグアプレットに変換するように制御する制御部；を含んでなる商品情報提供システムを提示する。
【００４９】
好ましくは、前記パネル部は、前記商品のＱＲコードでなった光学コードを撮影するカメラ部；前記カメラ部が撮影した光学コードを出力して表示する出力部；及び前記運用部が出力したタグアプレットを近距離無線通信信号として無線送信するＮＦＣアンテナ部；を含み、前記出力部は、前記運用部が出力する商品情報を出力して表示するかあるいは前記カメラ部が撮影した光学コードを出力して表示する。
【００５０】
そして、前記運用部は、前記パネル部が撮影した光学コードを受け、ＱＲコードを認識して分析して商品データに変換するＱＲ分析部；前記ＱＲ分析部の商品データを受けて前記サーバー部に出力し、前記サーバー部からタグアプレットを受信するプロセス部；前記プロセス部の制御によって前記タグアプレットをＮＦＣ信号に変換して前記パネル部に出力するＮＦＣコントローラ部；前記ＮＦＣコントローラ部の制御によって前記タグアプレットを記録するか削除するタグアプレット記録部；及び前記タグアプレットをマルチメディア信号に変換して前記パネル部に出力する出力制御部；を含み、前記プロセス部は、前記タグアプレットを前記ＮＦＣコントローラ部と前記出力制御部にそれぞれ出力する。
ここで、前記パネル部は、前記商品のバーコードでなった光学コードをスキャンするバーコードスキャナー部；をさらに含んでなる。
また、前記運用部は、前記パネル部の光学コードを受け、バーコードを認識して分析して商品データに変換するバーコード分析部；をさらに含んでなる。
【００５１】
前記のような目的を達成するためになされた本発明は、商品の光学コードを撮影して表示するパネル部と前記パネル部が撮影した光学コードを認識して商品データに変換し、前記商品データをタグアプレットに変換する運用部とを含む器機部でなり、前記パネル部は、タギングしたＮＦＣ移動端末に前記タグアプレットをＮＦＣの近距離無線通信で送信する商品情報提供システムを提示する。
好ましくは、前記運用部と接続し、リンク情報に関連した多数の商品情報を記録する商品情報ＤＢ部を含むサーバー部；をさらに含んでなる。
【００５２】
そして、前記運用部は、前記パネル部が撮影した光学コードを受け、ＱＲコードを認識して分析して商品データに変換するＱＲ分析部；前記ＱＲ分析部の商品データを受けるプロセス部；前記プロセス部の制御によって印加される信号をＮＦＣ信号に変換して前記パネル部に出力するＮＦＣコントローラ部；前記ＮＦＣコントローラ部の制御によって印加される信号を記録するか削除するタグアプレット記録部；前記ＮＦＣコントローラ部の制御によって印加される信号をマルチメディア信号に変換して前記パネル部に出力する出力制御部；及び前記プロセス部が提供する商品データをタグアプレットに変換するタグアプレット発給部；を含む。
また、前記プロセス部は、商品データを分析して含まれたリンク情報を分離し、前記サーバー部に前記リンク情報を提供する。
【００５３】
一方、前記サーバー部は、前記リンク情報にあたる商品情報を検索する商品情報ＤＢ部；及び前記商品情報ＤＢ部が検索した商品情報を受けてタグアプレットに変換するタグアプレット発給部；を含んでなる。
ここで、前記パネル部は、前記商品のバーコードでなった光学コードをスキャンするバーコードスキャナー部；をさらに含んでなる。
そして、前記運用部は、前記パネル部の光学コードを受け、バーコードを認識して分析して商品データに変換するバーコード分析部；をさらに含んでなる。
【００５４】
また、本発明の一実施例によるＮＦＣタグ生成装置は、一つ以上のコンテンツを出力し、使用者の操作または前もって決められたデフォルト（ｄｅｆａｕｌｔ）設定によってコンテンツ選択の入力を受けるコンテンツ出力部；前記選択されたコンテンツに対応するタグデータを検索する運用制御部；前記タグデータに対応する伝送モードを設定するＮＦＣコントローラ部；前記コンテンツ及びタグデータを格納するメモリ部；前記コンテンツまたはタグデータに関する情報を新しいコンテンツまたはタグデータに関する情報に更新する通信インターフェース部；及びＮＦＣ通信方式で前記タグデータを伝送するＮＦＣアンテナ部；を含み、前記運用制御部は、選択された前記コンテンツに対応する伝送モード転換制御信号を前記ＮＦＣコントローラ部に伝達することができる。
【００５５】
本発明の一実施例によるＮＦＣタグ生成装置は、外部に伝送するタグデータを一時記録する１以上のタグ記録部；をさらに含み、前記運用制御部は、検索された前記タグデータを前記タグ記録部に記録する記録制御信号を前記ＮＦＣコントローラ部に伝達することができる。
【００５６】
本発明の一実施例によるＮＦＣタグ生成装置において、前記タグ記録部は、前記運用制御部、ＮＦＣコントローラ部またはメモリ部の中で選択されたいずれか一つ以上の構成を含むことができる。
【００５７】
本発明の一実施例によるＮＦＣタグ生成装置において、前記コンテンツ出力部はタッチスクリーンを含んでなり、前記タッチスクリーンによって前記コンテンツを出力し、前記タッチスクリーンをタッチして伝送するコンテンツを選択することができる。
【００５８】
本発明の一実施例によるＮＦＣタグ伝送方法は、再生可能な一つ以上のコンテンツを第１端末に出力する段階；前記一つ以上のコンテンツの中で受信すべきコンテンツを選択する段階；選択された前記コンテンツに対応する伝送モードを駆動する段階；前記コンテンツに対応するタグデータを検索する段階；第１端末と第２端末の間にデータ伝送セッションを形成する段階；及び第２端末から前記第１端末に前記タグデータを伝送する段階；を含むことができる。
【００５９】
本発明の一実施例によるＮＦＣタグ伝送方法は、再生可能な一つ以上のコンテンツを第１端末に出力する段階；前記一つ以上のコンテンツの中で受信すべきコンテンツを選択する段階；選択された前記コンテンツに対応する伝送モードを駆動する段階；前記伝送モードに対応するアプリケーションを駆動する段階；前記コンテンツに対応するタグデータを検索する段階；及び第２端末から前記第１端末に前記タグデータを伝送する段階；を含むことができる。
【００６０】
本発明の一実施例によるＮＦＣタグ伝送方法は、再生可能な一つ以上のコンテンツを第１端末に出力する段階；第２端末から第１端末にタグデータを要請する段階；前記第１端末の要請に応じて予め決められた方式によって前記一つ以上のコンテンツの中で受信すべきコンテンツを選択する段階；選択された前記コンテンツに対応する伝送モードを駆動する段階；前記コンテンツに対応するタグデータを検索する段階；及び第２端末から前記第１端末に前記タグデータを伝送する段階；を含むことができる。
【発明の効果】
【００６１】
前記のような構成の本発明は、移動端末を用いて広告の出力媒体をタギングするので、広告の内容をデータとして受けて記録し、広告媒体から遠く移動した状態でも広告の内容を繰り返し確認し、時間を置いて分析することができる使用上便利な効果がある。
【００６２】
また、前記のような構成の本発明は、単一出力媒体を用いて多数の多様な内容の広告を該当のマルチメディア情報つぃて出力し、データとして提供する産業的利用効果がある。
一方、前記のような構成の本発明は、ＱＲコードまたはバーコードを用いて多様な広告の情報を簡便に提供する使用上便利な効果がある。
【００６３】
また、商品に表示されたバーコードとＱＲコードを含む光学コードを認識し、光学コードに含まれた商品情報をＮＦＣのタグアプレットに変換してＮＦＣ移動端末に提供するので、正確な商品情報を速かに確認して最適の商品を購買するようにする使用上便利な効果がある。
【００６４】
また、移動端末を用いてコンテンツ出力媒体をタギングするので、コンテンツの内容をタグデータとして受けて記録し、コンテンツ媒体から遠く移動した状態でもコンテンツの内容を繰り返し確認し、時間を置いて分析することができる使用上便利な効果がある。
また、単一出力媒体を用いて多数の多様な内容のコンテンツを該当のマルチメディア情報として出力してデータとして提供する効果がある。
【図面の簡単な説明】
【００６５】
【図１】本発明の一実施例によるスマート広告情報提供システムを説明するための機能構成図示図である。
【図２】本発明の一実施例による広告マネージメントサーバーの構成を説明するための詳細機能構成図示図である。
【図３】本発明の第１実施例によるスマートパネル部を説明する詳細な機能構成図示図である。
【図４】本発明の第２実施例によるスマートパネル部を説明する詳細な機能構成図示図である。
【図５】本発明の一実施例によるスマート広告情報提供システムの運用過程を説明するための信号流れ図示図である。
【図６】本発明の他の実施例によるスマート広告情報提供システムを説明するための機能構成図示図である。
【図７】本発明の他の実施例による広告マネージメントサーバーの構成を説明するための詳細機能構成図示図である。
【図８】本発明の第３実施例によるスマートパネル部を説明する詳細な機能構成図示図である。
【図９】本発明の第４実施例によるスマートパネル部を説明する詳細な機能構成図示図である。
【図１０】本発明の第１実施例による商品情報提供システムを説明する機能構成図示図である。
【図１１】本発明の第２実施例による商品情報提供システムを説明する機能構成図示図である。
【図１２】本発明の第３実施例による商品情報提供システムを説明する機能構成図示図である。
【図１３】本発明の第４実施例による商品情報提供システムを説明する機能構成図示図である。
【図１４】本発明の第５実施例による商品情報提供システムを説明する機能構成図示図である。
【図１５】本発明の第６実施例による商品情報提供システムを説明する機能構成図示図である。
【図１６】本発明の第１実施例による商品情報提供システムの運用過程を説明する信号流れ図示図である。
【図１７】本発明の第２実施例による商品情報提供システムの運用過程を説明する信号流れ図示図である。
【図１８】本発明の一実施例によるＮＦＣタグ生成装置と移動端末の図示図である。
【図１９】本発明の一実施例によるＮＦＣタグ生成装置の構成図である。
【図２０】本発明の一実施例によるＮＦＣタグ伝送方法の流れ図である。
【図２１】本発明の一実施例によるＮＦＣタグ伝送方法の流れ図である。
【発明を実施するための形態】
【００６６】
本発明は多様な変形を加えることができ、いろいろの実施例を持つことができるし、特定の実施例を図面に例示し、詳細な説明で詳細に説明しようとする。しかし、これは本発明を特定の実施形態に限定しようとするものではなく、本発明の思想及び技術範囲に含まれるすべての変形、均等物ないし代替物を含むものに理解しなければならない。本発明の説明において、関連の公知技術についての具体的な説明が本発明の要旨をあいまいにすることができると判断される場合にはその詳細な説明を省略する。
【００６７】
本発明において、広告用媒体は、映像、文字、音信号が含まれるマルチメディア信号として説明し、運用アプレットは応用プログラムで、選択された応用のために制御するプログラムのものに説明する。
【００６８】
すなわち、移動端末には多数の応用プログラムを含み、各応用プログラムを運用アプレットといい、各応用プログラムは識別子情報（ＡＩＤ）によって区分（区別）される。また、同じ運用アプレットの場合にもバージョン（ｖｅｒｓｉｏｎ）、製造社などの違いによって識別子情報（ＡＩＤ）が違って与えられる。
【００６９】
移動端末が相手の移動端末と通信するかあるいは特定の応用プログラムを互いに対応して運用する場合、該当の運用アプレットの識別子情報（ＡＩＤ：ａｐｐｌｉｃａｔｉｏｎ
ＩＤ）が同一でなければならない。
【００７０】
そして、カードモード（ｃａｒｄ
ｍｏｄｅ）とリードモード（ｒｅａｄ ｍｏｄｅ）はＮＦＣ通信で信号を送受信するために運用される通信モードであり、カードモードは記録された情報を相手に提供し、リードモードは相手の記録された情報を読むものに説明する。
【００７１】
バーコード（ｂａｒ
ｃｏｄｅ）は太さの異なる黒色及び白色の棒を組み合わせて作ったコードで、コンピュータが判読可能な暗号であり、線形の１次元であり、製品の固有番号を区分するとか価格情報を提供するのに多く使う。
【００７２】
ＱＲ（ｑｕｉｃｋ
ｒｅｓｐｏｎｓｅ）コードは小さな正四角形の点を横と縦に同一数で整列してコンピュータが判読することができるようにする暗号で、マトリックス型２次元コードであり、一辺に整列された点の数が２１個〜１７７個の多様な仕様があり、最大２３，６４８ビット（ｂｉｔ）の情報を記録し、補完性があるため、一部のデータが損傷されても修復することができ、３６０度のいずれの方向でも読める。
タギング（ｔａｇｇｉｎｇ）またはタグは電気的に直接接触しなかった状態で物理的に隣接した状態のものに説明する。
図１は本発明の一実施例によってスマート広告情報提供システムを説明するための機能構成図示図である。
【００７３】
以下、添付図面を参照して詳細に説明すれば、スマート広告情報提供システム１００００は、移動端末１１０００、スマートパネル部１２０００、及び広告マネージメントサーバー１３０００を含む構成である。
【００７４】
移動端末１１０００は、移動通信システムに無線で接続していつでもどこでも所望の相手と直ちに通信する移動通信用端末であり、識別子情報（ＡＩＤ）によって区分される多数の運用アプレットを割り当てられたメモリ領域に記録する。
【００７５】
移動端末１１０００は初期にカードモードで運用され、スマートパネル部１２０００にタギングし、スマートパネル部１２０００の要請に応じて記録された多数の識別子情報（ＡＩＤ）から指定の識別子情報が記録されているかどうかを検索し、指定の識別子情報が記録されていると検索されれば、検索された結果をスマートパネル部１２０００に知らせる。本発明の説明において、移動端末１１０００は指定の運用アプレットを記録し、スマートパネル部１２０００が要請する識別子情報にあたるアプレットは広告用媒体を受信することができる運用アプレットのものに説明する。
【００７６】
移動端末１１０００がスマートパネル部１２０００が指定した識別子情報を検索したというのは移動端末１１０００とスマートパネル部１２０００が同じ運用アプレットを活性化してエラーなしにデータ通信することができる状態を意味する。
【００７７】
移動端末１１０００は、スマートパネル部１２０００のモード転換要請に応じて指定の識別子情報にあたる運用アプレット、つまり広告を受信することができる運用アプレットを活性化状態にウェークアップ（ｗａｋｅ−ｕｐ）し、初期のカードモードからリードモードに切り換え、このようなウェークアップ及びモード転換の結果をスマートパネル部に知らせる。
この際、移動端末１１０００は、スマートパネル部１２０００にカードモードへの転換を要請するモード転換要請信号を一緒に伝送する。
【００７８】
そして、移動端末１１０００は、タギングされた状態を維持しながら、スマートパネル部１２０００が伝送する広告用媒体データを受信し、エラーなしに受信が完了すれば、受信完了をスマートパネル部１２０００に知らせる。
【００７９】
スマートパネル部１２０００はパネル運用部１２１００と広告出力部１２２００とからなり、パネル運用部１２１００は、プロセス部１２１１０、タグアプレット部１２１２０、ＮＦＣコントローラ部１２１３０、及び広告信号処理部１２１４０を含み、広告出力部１２２００は、出力部１２２２０とアンテナ部１２２４０を含む構成である。
【００８０】
スマートパネル部１２０００は、初期に相手の情報を読むリードモードで運用される状態で移動端末１１０００がタギングすれば、移動端末１１０００に広告を受信する運用アプレットが記録されているかどうかを確認するために該当の識別子情報（ＡＩＤ）の検索を要請し、検索された返信を受けた場合は、移動端末１１０００をリードモードに切り換えるように要請する。
【００８１】
スマートパネル部１２０００のパネル運用部１２１００を構成するプロセス部１２１１０は、接続された広告マネージメントサーバー１３０００に広告用媒体が含まれるタグアプレットを要請して受信する。
【００８２】
以下で、タグアプレットは該当の広告用媒体とマッチングしたものに説明し、広告用媒体は静止画像、動画、文字、音、イメージなどが含まれるもののいずれか一つ以上が含まれるマルチメディアでなるものに説明する。
【００８３】
プロセス部１２１１０は、受信された広告用媒体とタグアプレットをタグアプレット部１２１２０の割当領域にそれぞれ記録する。ここで、タグアプレットは、広告の内容、目的などによって非常に多様な種類があり、タグアプレット部１２１２０は多数の多様な広告用媒体とマッチングしたタグアプレットをそれぞれ記録する。
【００８４】
プロセス部１２１１０は、タグアプレット部１２１２０に記録されたものの中で選択されたいずれか一つの広告用媒体を広告信号処理部１２１４０に印加して出力するように制御するので、広告信号処理部１２１４０は印加された広告用媒体を映像、音、文字などが含まれたマルチメディア信号にそれぞれ区分して広告出力部１２２００の出力部１２２２０に出力する。
出力部１２２２０は、映像信号と文字信号を出力するビデオ部及び音信号を出力するオーディオ部を含む構成である。
【００８５】
一方、プロセス部１２１１０は、広告信号処理部１２１４０が出力する広告用媒体とマッチングしたタグアプレットをタグアプレット部１２１２０から読んでＮＦＣコントローラ部１２１３０に印加して出力するように制御する。
【００８６】
ＮＦＣコントローラ部１２１３０は、印加されたタグアプレットを広告出力部１２２００のアンテナ部１２２４０に出力するので、アンテナ部１２２４０が１３．５６ＭＨｚ帯域の無線周波数に共振された信号として送出（ｒａｄｉａｔｉｏｎ）するようにする。
【００８７】
一実施例において、移動端末１１０００がアンテナ部１２２４０にタギングすれば、アンテナ部１２２４０は移動端末１１０００のタギングを認識し、パネル運用部１２１００のＮＦＣコントローラ部１２１３０に知らせ、ＮＦＣコントローラ部１２１３０は移動端末に広告を受信する運用アプレットの識別子情報（ＡＩＤ）が記録されているかどうかを確認するために該当の識別子情報の検索を要請し、該当の識別子情報（ＡＩＤ）が検索されて返信される場合は、移動端末１１０００のモード転換を要請する信号を出力する。
【００８８】
ＮＦＣコントローラ部１２１３０は、移動端末１１０００がモード転換要請に応じてリードモードに切り換えたことを確認し、モード転換を要請する信号が移動端末１１０００から受信されれば、記録されたデータを提供するカードモードに切り換える。
【００８９】
ＮＦＣコントローラ部１２１３０は、カードモードに切り換えた状態で、プロセス部１２１１０の制御によって出力部１２２２０から現在出力されている広告用媒体をタグアプレット部１２１２０から検索してアンテナ部１２２４０に出力し、アンテナ部は移動端末１１０００にデータとして送出（ｒａｄｉａｔｉｏｎ）する。
【００９０】
ここで、出力部１２２２０とアンテナ部１２２４０は一対（ｐａｉｒ）をなし、同一内容の広告用媒体をプロセス部１２１１０の制御及び監視によってそれぞれ出力して送出する。
【００９１】
したがって、一実施例によって出力部１２２２０とアンテナ部１２２４０が一対をなすとともに一つずつだけ備えられれば、時間差によって多数の広告媒体を出力し、他の一実施例によって、出力部１２２２０とアンテナ部１２２４０が一対をなした状態でそれぞれ多数であれば、多数の広告用媒体をそれぞれの該当の経路を通じて同時に出力及び提供することができる。このようなスマートパネル部１２０００の一実施例によって区別される構成は以下で添付図面を参照して詳細に再び説明する。
【００９２】
広告マネージメントサーバー１３０００はスマートパネル部１２０００の要請に応じて多数の広告用媒体を実時間（ｒｅａｌ−ｔｉｍｅ）で生成して提供するかまたは記録された多数の広告用媒体のいずれか一つ以上を検索して提供するもので、制御部１３１００、広告送出ＤＢ部１３２００、及びタグアプレットＤＢ部１３３００を含む構成である。広告マネージメントサーバー１３０００の構成は以下で添付図面を参照して詳細に再び説明する。
図２は本発明の一実施例によって広告マネージメントサーバーの構成を説明するための詳細機能構成図示図である。
【００９３】
以下、添付図面を参照して広告マネージメントサーバー１３０００を詳細に説明すれば、制御部１３１００は、スマートパネル部１２０００から選択された広告用媒体が含まれるタグアプレットを提供するように要請する信号が受信されれば、実時間で生成または検索された広告用媒体を送出するように広告送出ＤＢ（ｄａｔａ
ｂａｓｅ）部１３２００とタグアプレットＤＢ部１３３００をそれぞれ制御して監視する。
【００９４】
広告送出ＤＢ部１３２００は、制御部１３１００から広告用媒体を実時間で生成するように制御された場合、外部からマルチメディア信号を受信し、新しい広告用媒体を実時間で生成するかまたは外部から入力されたマルチメディア信号と検索された広告用媒体を用いて新しい広告用媒体を実時間で生成するかまたは検索された多数の広告用媒体を用いて新しい広告用媒体を実時間で生成することができる。
広告送出ＤＢ部１３２００は、このように実時間で生成された広告用媒体を自体の割当領域に記録し、追後に検索して再使用することができる。
【００９５】
また、タグアプレットＤＢ部１３３００は、制御部１３１００の制御によって広告送出ＤＢ部１３２００が生成した広告用媒体とマッチングするタグアプレットを生成して広告送出ＤＢ部１３２００に伝送するとともに自体の割当領域に記録する。
ここで、タグアプレットは生成されてＮＦＣ方式の無線で送出される広告用媒体を相手で受信することができるようにする応用プログラムのものに説明する。
【００９６】
制御部１３１００は、広告送出ＤＢ部１３２００を制御して、生成されるか検索された広告用媒体を読むようにし、タグアプレットＤＢ部１３３００を制御して、広告用媒体とマッチングするタグアプレットを新たに生成するかあるいは検索した該当のタグアプレットを広告送出ＤＢ部１３２００に印加するようにする。
【００９７】
すなわち、広告送出ＤＢ部１３２００が新しい広告用媒体を生成した場合には、タグアプレットＤＢ部１３３００が生成した新しいタグアプレットを使い、広告送出ＤＢ部１３２００が既存に記録された広告用媒体を検索した場合には、タグアプレットＤＢ部１３３００に記録された既存のタグアプレットを検索して使うようにすることが好ましい。
【００９８】
広告送出ＤＢ部１３２００は、制御部１３１００の制御及び監視によって実時間で生成するか検索した広告用媒体及び該当のタグアプレットをスマートパネル部１２０００に伝送することで提供を完了する。
図３は本発明の第１実施例によってスマートパネル部を説明する詳細な機能構成図示図である。
【００９９】
以下、添付図面を参照して詳細に説明すれば、第１実施例によるスマートパネル部１２０００は、パネル運用部１２１００と広告出力部１２２００を含む構成である。
【０１００】
パネル運用部１２１００はプロセス部１２１１０、タグアプレット部１２１２０、ＮＦＣコントローラ部１２１３０、及び広告信号処理部１２１４０を含む構成であり、広告出力部１２２００は出力部１２２２０、及びアンテナ部１２２４０を含む構成である。
ここで、広告出力部１２２００の出力部１２２２０とアンテナ部１２２４０は連動して同一内容の信号を出力して送出する一対でなる。
【０１０１】
すなわち、広告出力部１２２００を構成する出力部１２２２０とアンテナ部１２２４０は同一内容の広告用媒体を出力するか送出することで一対（ｐａｉｒ）をなし、同一内容のデータが伝送される該当の経路を備える。
【０１０２】
パネル運用部１２１００をなすプロセス部１２１１０は、広告マネージメントサーバー１３０００から広告用媒体とマッチングした該当のタグアプレットを受けてタグアプレット部１２１２０の割当領域に記録し、ＮＦＣコントローラ部１２１３０と広告信号処理部１２１４０にそれぞれ印加する。
【０１０３】
ＮＦＣコントローラ部１２１３０は、プロセス部１２１１０の制御及び監視によって指定された広告用媒体を該当の経路を通じてアンテナ部１２２４０にデータとして出力する。
【０１０４】
そして、広告信号処理部１２１４０は、プロセス部１２１１０の制御及び監視によって指定された広告用媒体を該当の経路を通じて出力部１２２２０にマルチメディア信号として出力する。
【０１０５】
広告出力部１２２００は、パネル運用部１２１００の制御によって指定されたいずれか一つ以上の広告用媒体を出力し、出力される広告の内容が多数の場合には、時間差を置いて該当の時間によって異なる内容の広告用媒体に変更して出力及び送出することができるのはいうまでもない。
【０１０６】
本発明の第１実施例による構成は、選択されたいずれか一つの広告用媒体を出力部１２２２０によってマルチメディア信号として出力し、アンテナ部１２２４０に移動端末１１０００がタギングする場合、出力部１２２２０に出力される内容と同一の内容の広告用媒体をデータとして提供する。
【０１０７】
したがって、移動端末１１０００は、出力部１２２２０に出力される広告用媒体の内容をアンテナ部１２２４０にタギングしてデータとして受け、自体に備えられたメモリ領域に記録し、いつでもどこでも再び繰り返して直ちに該当の内容を確認するかあるいは時間を置いてゆっくり分析することができる利点がある。
【０１０８】
特に、広告の内容が要約されたか、あるいは劇場の時刻表、商品の価格を比較するなどの場合、ゆっくりその内容を確認して比較分析することができる利点がある。
図４は本発明の第２実施例によってスマートパネル部を説明する詳細な機能構成図示図である。
【０１０９】
以下、添付図面を参照して詳細に説明すれば、第２実施例によるスマートパネル部１２０００はパネル運用部１２１００と広告出力部１２２００を含む構成である。
【０１１０】
パネル運用部１２１００は、プロセス部１２１１０、タグアプレット部１２１２０、ＮＦＣコントローラ部１２１３０、及び広告信号処理部１２１４０を含む構成であり、広告出力部１２２００は、第１〜第ｎ出力部１２２２１、１２２２２、１２２２３でなる出力部１２２２０と第１〜第ｎアンテナ部１２２４１、１２２４２、１２２４３でなるアンテナ部１２２４０とを含む構成である。
【０１１１】
一実施例において、第１出力部１２２２１と第１アンテナ部１２２４１は一対（ｐａｉｒ）をなし、第２出力部１２２２２と第２アンテナ部１２２４２が一対をなす状態が繰り返され、第ｎ出力部１２２２３と第ｎアンテナ部１２２４３までそれぞれ一対をなす。
このように、それぞれ対をなす出力部１２２２０とアンテナ部１２２４０は同一内容の広告用媒体を該当の対の経路（ｐａｔｈ）にそれぞれ出力する。
パネル運用部１２１００のプロセス部１２１１０とタグアプレット部１２１２０は第１実施例の説明と同様であるので、重複して説明しないことにする。
【０１１２】
ＮＦＣコントローラ部１２１３０は、アンテナ部１２２４０を構成する多数のアンテナ１２２４１、１２２４２、１２２４３の経路をそれぞれ区分管理し、それぞれ該当のタグアプレットを出力して送出するように制御するとともに移動端末１１０００が該当のアンテナ１２２４１、１２２４２、１２２４３にタギングまたはタグリーディングしたことが確認されれば、関連した該当の広告用媒体をデータとして出力し、該当のアンテナ１２２４１、１２２４２、１２２４３から送出されるように制御して監視する。
【０１１３】
また、広告信号処理部１２１４０は、出力部１２２２０を構成する多数の出力部１２２２１、１２２２２、１２２２３の経路をそれぞれ区分して管理し、それぞれ該当の広告用媒体をマルチメディア信号として出力するように制御して監視する。
【０１１４】
ここで、ＮＦＣコントローラ部１２１３０と広告信号処理部１２１４０は同期し、同一内容の広告用媒体にあたる情報を広告出力部１２２００の一対で同期した（ｓｙｎｃｈｒｏｎｉｚｅｄ）出力部１２２２０とアンテナ部１２２４０が接続した経路に出力する。
本発明の構成は、一つの広告媒体を用いて多数の多様な広告の中で選択されたいずれか一つ以上を選択的に出力するかあるいは同時に出力する利点がある。
図５は本発明の一実施例によってスマート広告情報提供システムの運用過程を説明するための信号流れ図示図である。
【０１１５】
以下、添付図面を参照して詳細に説明すれば、移動端末は初期にカードモードで運用され、スマートパネル部は初期にリードモードで運用され、スマートパネル部は第１実施例または第２実施例によって広告用媒体をマルチメディア信号として出力し、広告用媒体とマッチングしたタグアプレットをデータとして出力する状態である。
カードモードは自体に記録された情報を相手に提供する状態であり、リードモードは相手の情報を読む状態のものに説明する。
【０１１６】
移動端末は、スマートパネル部の出力部が出力する広告用媒体の内容を繰り返して再生するか分析するために、現在広告される広告用媒体の内容をデータとしてダウンロードしようとする場合、出力部と一対でなる該当のアンテナ部に近接させるタギングを行う（Ｓ２０１０）。
【０１１７】
スマートパネル部は、移動端末に広告用媒体を受信することができる該当の運用アプレットが記録されているかどうかを確認するために、該当の識別子情報（ＡＩＤ）を検索して返信することを要請する（Ｓ２０２０）。
【０１１８】
移動端末は、スマートパネル部の要請に応じて該当の識別子情報を検索し、検索された該当の識別子情報を返信する（Ｓ２０３０）。この際、スマートパネル部は、移動端末にモード転換を要請する（Ｓ２０４０）。このように要請されるモード転換は移動端末がリードモードに切り換えて運用することを要請するものである。
【０１１９】
移動端末は、スマートパネル部のモード転換要請信号を受信し、広告用媒体を受信するための該当運用アプレットを活性化状態にウェークアップ（ｗａｋｅ−ｕｐ）し（Ｓ２０５０）、現在運用されるカードモードからリードモードに自動で切り換える（Ｓ２０６０）。
【０１２０】
すなわち、移動端末は、現在運用されるカードモードからリードモードに自動で切り換え、転換された状態をスマートパネル部に知らせるとともに今度はスマートパネル部の運用モードをリードモードからカードモードに自動で切り換えるように要請する（Ｓ２０７０）。
【０１２１】
スマートパネル部は、移動端末の返信及び要請に応じて、現在運用中のリードモードからカードモードに切り換え（Ｓ２０８０）、カードモードに自動モード転換した結果を移動端末に返信する（Ｓ２０９０）。
【０１２２】
また、スマートパネル部は、タギングされたアンテナに関連した広告用媒体をダウンロードすることができるタグアプレットと該当の広告用媒体を広告マネージメントサーバーに要請し（Ｓ２１００）、広告マネージメントサーバーは要請された内容の広告用媒体及びマッチングしたタグアプレットを実時間で生成するか検索し（Ｓ２１１０）、検索されるかまたは実時間で生成された広告用媒体をスマートパネル部に伝送することで提供する（Ｓ２１２０）。
【０１２３】
スマートパネル部は、広告マネージメントサーバーが提供した広告用媒体及びマッチングしたタグアプレットを受信しながらエラー（ｅｒｒｏｒ）がないかを確認し、エラーなしに受信が完了すれば、タグアプレット部の割り当てられたメモリ領域に受信された広告用媒体及びマッチングしたタグアプレットを記録した後、移動端末がリーディングのためにタグされているかどうかを監視する（Ｓ２１３０）。
【０１２４】
この際、スマートパネル部は、該当の広告用媒体及びマッチングしたタグアプレットと同一の内容が自体のメモリ領域であるタグアプレット部に既に記録されている場合、広告マネージメントサーバーに伝送を要請しないこともできる。
【０１２５】
スマートパネル部は、移動端末が広告用媒体をデータとしてリードするために、タグリードされている状態で確認すれば（Ｓ２１４０）、タギングされた該当のアンテナ部を通じてマッチングしたタグアプレットと該当の広告用媒体をデータとして移動端末に伝送する（Ｓ２１５０）。
【０１２６】
移動端末は、受信されたタグアプレットで広告用媒体のデータをエラーなしに受信するかを確認し（Ｓ２１６０）、広告用媒体データを最後までエラーない状態で受信すれば、スマートパネル部に受信完了の信号を知らせる（Ｓ２１７０）。
図６は本発明の他の実施例によってスマート広告情報提供システムを説明するための機能構成図示図である。
【０１２７】
以下、添付図面を参照して詳細に説明すれば、スマート広告情報提供システム１００００は、移動端末１１０００、スマートパネル部１２０００、及び広告マネージメントサーバー１３０００を含む構成である。
添付の図６に示したスマート広告情報提供システムは、添付の図１に示したスマート広告情報提供システムと類似しているので、相違点を中心に説明する。
【０１２８】
移動端末１１０００は、図１に示した移動端末と同様に、いつでもどこでも所望の相手と移動しながら直ちに無線で接続して通信する機能を構成し、バーコード及びＱＲコードをスキャン（ｓｃａｎ）して読めるスキャナ部１１１０をさらに含む。
【０１２９】
ここで、バーコードとＱＲコードはスマートパネル部１２０００から出力するものに説明し、スキャナ部１１１０は、バーコードとＱＲコードを光学的にスキャンする構成と無線で受信する構成の中で選択されたいずれか一つ以上を備えることができる。
スマートパネル部１２０００は、添付の図１に示したスマートパネル部と類似してパネル運用部１２１００と広告出力部１２２００を含む。
【０１３０】
パネル運用部１２１００はＱＲコード分析部１２１５０とバーコード分析部１２１６０をさらに含み、広告出力部１２２００はコード送出部１２２６０をさらに含む構成である。
【０１３１】
ＱＲコード分析部１２１５０とバーコード分析部１２１６０はプロセス部１２１１０の制御によってＱＲコードとバーコードをＮＦＣコントローラ部１２１３０に印加し、ＮＦＣコントローラ部１２１３０は広告出力部１２２００のコード送出部１２２６０に印加して、ＱＲコードまたはバーコードが送出するようにする。
【０１３２】
ここで、コード送出部１２２６０はＱＲコードまたはバーコードを視覚的に表示する表示部で構成されることが好ましく、無線で出力するようにすることもできる。
スマートパネル部１２０００の構成は、以下で添付図面を参照して実施例に基づいて詳細に再び説明する。
【０１３３】
広告マネージメントサーバー１３０００は、添付の図１に示した広告マネージメントサーバーと類似して、制御部１３１００、広告送出ＤＢ部１３２００、及びタグアプレットＤＢ部１３３００を含み、広告タグアプレット部１３４００、ＱＲコードタグアプレット部１３５００、及びバーコードタグアプレット部１３６００をさらに含む構成である。
広告マネージメントサーバー１３０００は以下で添付図面を参照して詳細に再び説明する。
図７は本発明の他の実施例によって広告マネージメントサーバーの構成を説明するための詳細機能構成図示図である。
【０１３４】
以下、添付図面を参照して広告マネージメントサーバー１３０００を詳細に説明すれば、制御部１３１００、広告送出ＤＢ部１３２００、タグアプレットＤＢ部１３３００、広告タグアプレット部１３４００、ＱＲコードタグアプレット部１３５００、及びバーコードタグアプレット部１３６００を含む構成である。
制御部１３１００と広告送出ＤＢ部１３２００の構成及び作用は添付の図２の説明と同様であるので、重複して説明しないことにする。
【０１３５】
タグアプレットＤＢ部１３３００は、制御部１３１００の制御及び監視によって広告マネージメントサーバー１３０００で生成されるかあるいは生成されたすべてのタグアプレットを記録し、検索によって選択されたタグアプレットは再使用することもできる。
【０１３６】
広告タグアプレット部１３４００は、制御部１３１００の制御によって広告送出ＤＢ部１３２００が生成した広告用媒体とマッチングするタグアプレットを生成してタグアプレットＤＢ部１３３００に伝送する。
ここで、タグアプレットは、生成されてＮＦＣ方式の無線で送出される広告用媒体を相手で受信することができるようにする応用プログラムのものに説明する。
【０１３７】
ＱＲコードタグアプレット部１３５００は、制御部１３１００の制御によってＱＲコードタグアプレットを生成し、バーコードタグアプレット部１３６００は、制御部の制御によってバーコードタグアプレットを生成する。
【０１３８】
ＱＲコードタグアプレット部１３５００とバーコードタグアプレット部１３６００がそれぞれ生成したＱＲコードタグアプレットとバーコードタグアプレットは制御部１３１００の制御によって広告送出ＤＢ部１３２００に印加されてスマートパネル部１２０００に伝送される。
図８は本発明の第３実施例によるスマートパネル部を説明する詳細な機能構成図示図である。
【０１３９】
以下、添付図面を参照して詳細に説明すれば、第３実施例によるスマートパネル部１２０００は、第１実施例と類似してパネル運用部１２１００と広告出力部１２２００を含む構成である。
【０１４０】
パネル運用部１２１００は、プロセス部１２１１０、タグアプレット部１２１２０、ＮＦＣコントローラ部１２１３０、広告信号処理部１２１４０、ＱＲコード分析部１２１５０、及びバーコード分析部１２１６０を含む構成であり、広告出力部１２２００は、出力部１２２２０、アンテナ部１２２４０、及びコード送出部１２２６０を含む構成である。
【０１４１】
ここで、パネル運用部１２１００のプロセス部１２１１０、タグアプレット部１２１２０、ＮＦＣコントローラ部１２１３０、広告信号処理部１２１４０及び広告出力部１２２００の出力部１２２２０、及びアンテナ部１２２４０は第１実施例の構成と同様であるので、重複して説明しないことにする。
【０１４２】
ＱＲコード分析部１２１５０は、プロセス部１２１１０の制御及び監視によって受信されるＱＲコードを分析するかまたは生成されたＱＲコードをＮＦＣコントローラ部１２１３０によって広告出力部１２２００に出力する。
【０１４３】
バーコード分析部１２１６０は、プロセス部１２１１０の制御及び監視によって受信されるバーコードを分析するかまたは生成されたバーコードをＮＦＣコントローラ部１２１３０によって広告出力部１２２００に出力する。
コード送出部１２２６０は、ＮＦＣコントローラ部１２１３０によって印加されたＱＲコードまたはバーコードを送出（ｒａｄｉａｔｉｏｎ）する。
本発明による構成は、一つの広告用媒体を出力するかまたは時間差を置いて多数の広告用媒体を出力しながらＱＲコードやバーコードを出力する利点がある。
図９は本発明の第４実施例によるスマートパネル部を説明する詳細な機能構成図示図である。
【０１４４】
以下、添付図面を参照して詳細に説明すれば、第４実施例によるスマートパネル部１２０００は、第２実施例と類似してパネル運用部１２１００と広告出力部１２２００を含む構成である。
【０１４５】
パネル運用部１２１００のプロセス部１２１１０、タグアプレット部１２１２０、ＮＦＣコントローラ部１２１３０、広告信号処理部１２１４０は第２実施例の構成及び作用と同様であり、ＱＲコード分析部１２１５０とバーコード分析部１２１６０は第３実施例の構成及び作用と同様であるので、重複して説明しないことにする。
【０１４６】
そして、広告送出部１２２００の出力部１２２２０とアンテナ部１２２４０は第２実施例の構成及び作用と同様であり、コード送出部１２２６０は第３実施例の構成及び作用と同様であるので、重複して説明しないことにする。
【０１４７】
バーコード（ｂａｒ−ｃｏｄｅ）は黒色と白色の太さの異なる多数の棒を組み合わせてコンピュータが容易に判読することができるようにした線形の１次元暗号コードで、商品の名称、管理番号、出庫日付、有効期間、価格などの情報を記録するのにたくさん応用される。
【０１４８】
ＱＲ（ｑｕｉｃｋ
ｒｅｓｐｏｎｓｅ）コードは小さな正四角形の点を横と縦に同一数だけ整列させてコンピュータが判読することができるようにしたマトリックス型の２次元暗号コードである。ＱＲコードは、一辺に整列された点の数が２１個〜１７７個の範囲で多様な仕様があり、最大２３，６４８ビット（ｂｉｔ）の情報を記録することができ、補完性があるので、一部のデータが損傷されても修復することができ、３６０度のどの方向でも認識するとか読むことができる。すなわち、ＱＲコードにはバーコードよりも多い情報を記録することができ、リンク情報を含むことができる。
【０１４９】
現在のＱＲコードはある一業者が開発して公開した２次元暗号コードの技術であり、新しい形態の２次元暗号コード技術が他の業者によって他の形態に開発されることができる。
【０１５０】
タギング（ｔａｇｇｉｎｇ）またはタグ（ｔａｇ）は電気的に直接接触しないで物理的に隣接した状態で相手の電気的データを認識することができる状態のものに説明する。
【０１５１】
ＮＦＣ移動端末には多数の応用プログラムを含み、各応用プログラムをアプレットといい、各応用プログラムは識別子情報（ＡＩＤ）によって区分（区別）される。また、同じアプレットの場合にもバージョン（ｖｅｒｓｉｏｎ）、製造社などの違いによって識別子情報（ＡＩＤ：ａｐｐｌｉｃａｔｉｏｎ
ＩＤ）が違って与えられる。
【０１５２】
ＮＦＣ移動端末を含む特定の装置が指定されたいずれか一つの対応装置と１：１で通信するか１：１で対応する状態で運用する場合、識別子情報が同一のアプレットを備えてそれぞれ運用しなければならない。
【０１５３】
また、同じアプレットの場合にも主（ｍａｉｎ）アプレットと副（ｓｕｂ）アプレットがあり得、本発明では主アプレットを駆動アプレットといい、副アプレットをタグアプレットと言うことにする。
したがって、対応して動作するＮＦＣ移動端末は同じアプレットが設置されて運用されなければならないので、それぞれ同一の識別子情報を備える。
【０１５４】
ＮＦＣ方式で信号を送受信する通信モードとしてカードモード（ｃａｒｄ
ｍｏｄｅ）とリードモード（ｒｅａｄ ｍｏｄｅ）があり、カードモードは記録された情報信号を相手に提供し、リードモードは相手に記録された情報信号を読むものに説明する。
【０１５５】
本発明において、コンテンツ（ｃｏｎｔｅｎｔｓ）は文字、静止画像、動画、イメージ、音などの媒体の中で選択されたいずれか一つ以上を含んでなるデジタルデータ情報のものに説明することにし、マルチメディアは、音、動画、静止画像、文字の中で選択されたいずれか一つ以上を含んで出力するものに説明する。
そして、商品情報には、該当の商品の広告情報、特徴的な情報、流通期限、利用方法、価格などが含まれるものに説明する。
図１０は本発明の第１実施例による商品情報提供システムを説明する機能構成図示図である。
【０１５６】
以下、添付図面を参照して詳細に説明すれば、商品情報提供システム１０００は、パネル部１１００及び運用部１２００を含む器機部１０９０と、サーバー部１３００と、商品１４００と、ＮＦＣ移動端末１５００とを含む構成である。
【０１５７】
器機部１０９０はパネル部１１００と運用部１２００を含み、ＮＦＣ方式のリーダーと移動端末の中で選択されたいずれか一つとなることができ、以下の説明で同様に適用する。
【０１５８】
パネル部１１００は、カメラ部１１１０、出力部１１２０、及びＮＦＣアンテナ部１１３０を含んでなり、運用部１２００は、ＱＲ分析部１２１０、プロセス部１２２０、ＮＦＣコントローラ部１２３０、及びタグアプレット記録部１２４０を含んでなり、サーバー部１３００はタグアプレット発給部１３１０を含んでなる。
カメラ部１１１０は、商品に表示されたもので、ＱＲコードを含む光学コードのイメージを撮影するカメラ（ｃａｍｅｒａ）でなる。
【０１５９】
出力部１１２０は、カメラ部１１１０が撮影したイメージを視覚的に確認するかあるいは見られるように出力して表示する。ここで、出力部２１２０によって、光学コードがカメラ部１１１０によって正確にスキャンされるかまたは撮影されるかを確認することが好ましい。
ＮＦＣアンテナ部１１３０は、１３．５６ＭＨｚ帯域の無線周波数に同調する構成であり、ＮＦＣ方式の信号を無線で送受信する。
ＱＲ分析部１２１０は、カメラ部１１１０が撮影した光学コードを入力し、ＱＲコードを認識して分析し、商品データに変換する。
【０１６０】
ＱＲコードによって認識して分析して変換した商品データには、商品の名称、製造社、管理番号、出庫日付、有効期間、価格、特徴、使用（利用）方法、広告内容などのような多様な情報を記録し、リンク情報をさらに含むことができる。
【０１６１】
プロセス部１２２０はパネル部１１００と運用部１２００の各機能部を監視して制御するもので、ＱＲ分析部１２１０の商品データを受けてサーバー部１３００に出力する。
また、プロセス部１２２０は、サーバー部１３００が提供するタグアプレットを受信してＮＦＣコントローラ部１２３０に印加する。
【０１６２】
ＮＦＣコントローラ部１２３０は初期にＮＦＣ方式のリードモードで運用され、プロセス部１２２０が印加するタグアプレットの情報をタグアプレット記録部１２４０の割当領域に記録する。
ＮＦＣコントローラ部１２３０はパネル部１１００のＮＦＣアンテナ部１１３０を監視し、ＮＦＣ移動端末１５００がタギングする場合を検出する。
【０１６３】
ＮＦＣコントローラ部１２３０は、ＮＦＣ移動端末１５００がタギングしたことを確認すれば、識別子情報（ＡＩＤ）を要請し、モード転換を自動で遂行するように要請し、該当の結果の応答信号を返信として受ける。
【０１６４】
ＮＦＣコントローラ部１２３０は、応答信号を返信として受けた後、リードモード（ｒｅａｄ
ｍｏｄｅ）からカードモード（ｃａｒｄ ｍｏｄｅ）に自動で切り換え、タグアプレット記録部１２４０に記録されたタグアプレットを出力するので、ＮＦＣアンテナ部１１３０を通じてＮＦＣ移動端末１５００に伝送する。
【０１６５】
この際、ＮＦＣコントローラ部１２３０は、ＮＦＣ移動端末１５００からタグアプレットを伝送エラーなしに正常に受信したという返信を受けた場合、タグアプレット記録部１２４０に記録された該当のタグアプレットを削除する。すなわち、タグアプレットの情報を１回だけ提供するようにする。
【０１６６】
サーバー部１３００は、タグアプレット発給部１３１０を構成し、運用部１２００から印加される商品データを入力してタグアプレット発給部１３１０でタグアプレットに変換した後、運用部１２００にタグアプレットとして伝送する。
商品１４００は取り引きされるすべての種類の商品が含まれ、表面に光学コードを表示するものに説明する。
【０１６７】
ＮＦＣ移動端末１５００は移動通信システムに接続して所望の相手と無線で接続して通信するもので、ＮＦＣ通信機能を付け加えてＮＦＣ方式で通信することができる。または、ＮＦＣ移動端末１５００にＮＦＣ通信機能のみを備えることもできる。
【０１６８】
ＮＦＣ移動端末１５００は駆動アプレットが含まれる多数の応用アプレットを備え、各アプレットは識別子情報（ＡＩＤ）によって区別する。駆動アプレットは商品情報を送受信する応用プログラムのものに説明する。
【０１６９】
ＮＦＣ移動端末１５００は初期にカードモードで運用され、パネル部１１００を通じて運用部１２００から識別子情報を提供するように要請する信号とモード転換を要請する信号を受信し、検索された識別子情報を提供し、該当の駆動アプレットをウェークアップ（ｗａｋｅ−ｕｐ）して運用し、リードモードに切り換えるとともに要請信号に対応する結果の信号を応答信号としてパネル部１１００を通じて運用部１２００に返信する。
【０１７０】
ＮＦＣ移動端末１５００は、リードモードに自動で切り換えた状態で、運用部１２００からタグアプレットを受け、運用される駆動アプレットによって自体に備えられた出力部にマルチメディアとして出力する。
【０１７１】
本発明の第１実施例による構成は、商品の表面に表示されたＱＲコードまたは光学コードに記録された商品情報をタグアプレットに変換してＮＦＣ移動端末に伝達し、ＮＦＣ移動端末はＮＦＣ方式でタグアプレットを受信し、ウェークアップされた駆動アプレットによって商品情報をマルチメディアコンテンツとして出力する。
図１１は本発明の第２実施例による商品情報提供システムを説明する機能構成図示図である。
【０１７２】
以下、添付図面を参照して詳細に説明すれば、第２実施例による商品情報提供システム２０００は、パネル部２１００及び運用部２２００を含む器機部２０９０と、サーバー部２３００と、商品１４００と、ＮＦＣ移動端末１５００とを含む構成である。
【０１７３】
器機部２０９０はパネル部２１００と運用部２２００を含み、ＮＦＣ方式のリーダーと移動端末の中で選択されたいずれか一つとなることができ、以下の説明で同様に適用する。
【０１７４】
第２実施例による商品情報提供システム２０００は、第１実施例による商品情報提供システム１０００の構成と比較するとき、バーコードスキャナー部２１４０及びバーコード分析部２２５０の構成をさらに備えることに違いがあり、残りの構成は同一ないし類似している。
【０１７５】
すなわち、出力部２１２０、ＮＦＣアンテナ部２１３０、プロセス部２２２０、ＮＦＣコントローラ部２２３０、タグアプレット部記録部２２４０、及びタグアプレット発給部２３１０を含むサーバー部２３００の構成は符号を除き、第１実施例と同一ないし類似しているので、重複して説明しないことにし、必要な場合にだけ説明する。
したがって、相違点があるバーコードスキャナー部２１４０とバーコード分析部２２５０の構成を詳細に説明する。
【０１７６】
カメラ部２１１０は光学コードの中でＱＲコードを撮影して出力部２１２０に印加するとともにＱＲ分析部２２１０に印加し、バーコードスキャナー部２１４０は光学コードの中でバーコード（ｂａｒ−ｃｏｄｅ）をスキャン（ｓｃａｎ）し、スキャンされたイメージを出力部２１２０に印加するとともにバーコード分析部２２５０に印加する。
バーコードとＱＲコードは記録しようとする情報の種類及び内容が同一であるが、記録可能な情報の容量に差がある。
【０１７７】
すなわち、バーコードはコンピュータが読める１次元暗号コードで記録することができるデータの容量が小さくて比較的制限的な情報を記録することができ、ＱＲコードはコンピュータが読める２次元暗号コードで、最大２３，６４８ビットのデータを記録することができるとともにリンク情報を記録することができる利点があるので、近年にはＱＲコードを主にたくさん使う趨勢である。
【０１７８】
本発明の第２実施例による構成は、商品の表面に表示されたバーコード及びＱＲコードが含まれる光学コードに記録された商品情報をタグアプレットに変換してＮＦＣ移動端末に伝達し、ＮＦＣ移動端末はＮＦＣ方式でタグアプレットを受信し、ウェークアップされた駆動アプレットによって商品情報をマルチメディアコンテンツとして出力するもので、第１実施例と類似し、バーコードとＱＲコードの両方用いることに違いがある。
図１２は本発明の第３実施例による商品情報提供システムを説明する機能構成図示図である。
【０１７９】
以下、添付図面を参照して詳細に説明すれば、第３実施例による商品情報提供システム３０００は、パネル部３１００及び運用部３２００を含む器機部３０９０と、サーバー部３３００と、商品１４００と、ＮＦＣ移動端末１５００とを含む構成である。
【０１８０】
器機部３０９０はパネル部３１００と運用部３２００を含み、ＮＦＣ方式のリーダーと移動端末の中で選択されたいずれか一つとなることができ、以下の説明で同様に適用する。
【０１８１】
第３実施例による商品情報提供システム３０００は第１実施例による商品情報提供システム１０００の構成と類似しているが、ただパネル部３１００の出力部３１２０がカメラ部３１１０と運用部３２００に同時に連結される構成と、運用部３２００に出力制御部３２５０をさらに備え、サーバー部３３００に商品情報ＤＢ部３３２０と制御部３３３０をさらに備える構成に違いがある。
【０１８２】
第３実施例による商品情報提供システムの残り構成は符号に違いがあるが、同一ないし類似の構成及び作用であるので、重複して説明しないで必要な場合にだけ説明する。
【０１８３】
パネル部３１００の出力部３１２０は、カメラ部３１１０が撮影した映像信号を視覚的に出力して、カメラ部３１１０が光学コードを正確に撮影しているかどうかを確認するようにするとともに運用部３２００から選択的に印加されるマルチメディアコンテンツ信号を出力する。
【０１８４】
運用部３２００の出力制御部３２５０は、プロセス部３２２０の制御によってサーバー部３３００から印加されるタグアプレットを出力部３１２０に印加するので、出力部３１２０からマルチメディア信号として出力することができるようにする。
【０１８５】
すなわち、プロセス部３２２０は、サーバー部３３００が印加するタグアプレットの情報をＮＦＣコントローラ部３２３０と出力制御部３２５０に同等に同時に提供する。
【０１８６】
サーバー部３３００は、運用部３２００を通じて印加される商品データを入力し、タグアプレット発給部３３１０と商品情報ＤＢ部３３２０にそれぞれ印加する。
タグアプレット発給部３３１０は、第１及び第２実施例の説明と同様に、運用部３２００から印加された商品データをタグアプレットに変換する。
【０１８７】
商品情報ＤＢ部３３００は、運用部３２００から印加された商品データを分析し、リンク情報が含まれていれば、リンク情報を抽出して該当のリンクに接続するので、該当の商品情報を検索して提供する。
【０１８８】
制御部３３３０は、商品情報ＤＢ部３３２０が検索した該当の商品情報をタグアプレット発給部３３１０に印加して、タグアプレットで変換するように制御する。この際、光学コードに含まれた商品データとマッチングする状態で変換するように制御して監視する。
サーバー部３３００は、このようにタグアプレット発給部３３１０が発給して生成したタグアプレットを運用部３２００のプロセス部３２２０に提供する。
【０１８９】
本発明の第３実施例による構成は、商品の表面に表示されたＱＲコードまたは光学コードに記録された商品情報をタグアプレットで変換してＮＦＣ移動端末に伝達するとともにリンク情報によってリンクされたもっと多い商品情報を検索して含むので、マッチングした状態のタグアプレットをＮＦＣ移動端末に伝達する。ＮＦＣ移動端末は、ＮＦＣ方式でタグアプレットを受信し、ウェークアップされた駆動アプレットによって商品情報をマルチメディアコンテンツとして出力する。
図１３は本発明の第４実施例による商品情報提供システムを説明する機能構成図示図である。
【０１９０】
以下、添付図面を参照して詳細に説明すれば、第４実施例による商品情報提供システム４０００は、パネル部４１００及び運用部４２００を含む器機部４０９０と、サーバー部４３００と、商品１４００と、ＮＦＣ移動端末１５００とを含むもので、第３実施例による商品情報提供システム３０００の構成と類似している。
【０１９１】
器機部４０９０はパネル部４１００と運用部４２００を含み、ＮＦＣ方式のリーダーと移動端末の中で選択されたいずれか一つとなることができ、以下の説明で同様に適用する。
【０１９２】
第４実施例による構成と第３実施例による構成の違いはパネル部４１００にバーコードスキャナー部４１４０をさらに備え、運用部４２００にバーコード分析部４２６０をさらに備えることに違いがあり、残り構成は符号に違いがあるが、同一ないし類似の構成及び作用なので、重複して説明しないで必要な場合にだけ説明する。
【０１９３】
カメラ部４１１０は、ＱＲコードを撮影し、撮影されたイメージを出力部４１２０に印加するとともにＱＲ分析部４２１０に印加し、バーコードスキャナー部４１４０はバーコードをスキャン（ｓｃａｎ）し、スキャンされたイメージを出力部４１２０に印加するとともにバーコード分析部４２６０に印加する。
バーコードとＱＲコードは記録する情報の種類が同様であり、ただ記録可能な情報の容量に差があるもので、もう説明したものと同様である。
【０１９４】
本発明の第４実施例による構成は、商品の表面に表示されたＱＲコードとバーコードでなる光学コードに記録された商品情報とリンク情報によって検索された商品情報をタグアプレットに変換し、ＮＦＣ移動端末を通じて出力する利点がある。
図１４は本発明の第５実施例による商品情報提供システムを説明する機能構成図示図である。
【０１９５】
以下、添付図面を参照して詳細に説明すれば、第５実施例による商品情報提供システム５０００は、パネル部５１００及び運用部５２００を含む器機部５０９０と、商品１４００と、ＮＦＣ移動端末１５００とを含むもので、第４実施例による商品情報提供システム４０００の構成と一部類似している。
【０１９６】
器機部５０９０はパネル部５１００と運用部５２００を含み、ＮＦＣ方式のリーダーと移動端末の中で選択されたいずれか一つとなることができ、以下の説明で同様に適用する。
【０１９７】
パネル部５１００は、カメラ部５１１０、出力部５１２０、ＮＦＣアンテナ部５１３０、及びバーコードスキャナー部５１４０を含む構成で、第４実施例のパネル部４１００と符号に違いがあるが同様な構成なので、重複説明をしないことにする。
【０１９８】
運用部５２００は、ＱＲ分析部５２１０、プロセス部５２２０、ＮＦＣコントローラ部５２３０、タグアプレット記録部５２４０、出力制御部５２５０、バーコード分析部５２６０、及びタグアプレット発給部５２７０を含む構成である。
【０１９９】
第５実施例による運用部５２００の構成と第４実施例による運用部４２００の構成の違いは、運用部５２００にタグアプレット発給部５２７０をさらに備え、プロセス部５２２０はサーバー部と接続しないことにある。
【０２００】
すなわち、第５実施例においてはサーバー部を備えない代わりに、サーバー部の機能を運用部５２００のタグアプレット発給部５２７０で処理する違いがあるので、プロセス部５２２０の追加機能とさらに備えられたタグアプレット発給部５２７０を中心に説明する。
プロセス部５２２０は、ＱＲ分析部５２１０から撮影されたＱＲコードを認識し、分析した商品データを受ける。
また、プロセス部５２２０は、バーコード分析部５２６０からスキャンしたバーコードを認識して分析した商品データを受ける。
プロセス部５２２０は、ＱＲ分析部５２１０及びバーコード分析部５２６０からそれぞれ印加された商品情報をタグアプレット発給部５２７０に伝達する。
【０２０１】
第５実施例による商品情報は光学コード自体が含むことができる情報で、該当のブランドの広告、製造社、販売社、出庫時点、流通期限、価格情報、一連番号、商品名、連絡先などを含む商品情報のいずれか一つ以上を含む。すなわち、第５実施例による商品情報には、映像情報、リンク情報などが含まれないので、提供可能な情報の容量が比較的少ないことができる。
【０２０２】
タグアプレット発給部５２７０は、プロセス部５２２０から印加された商品データをタグアプレットに変換してＮＦＣコントローラ部５２３０に印加するとともにプロセス部５２２０に印加する。
【０２０３】
ＮＦＣコントローラ部５２３０は、印加されたタグアプレットをタグアプレット記録部５２４０の割当領域に記録し、ＮＦＣアンテナ部５１３０にＮＦＣ移動端末１５００がタギングすることが確認される場合に提供する。
【０２０４】
プロセス部５２２０は、タグアプレット発給部５２７０から印加されたタグアプレットを出力制御部５２５０に提供するので、出力部５１２０に出力するように制御する。
【０２０５】
本発明の第５実施例による構成は、商品の表面に表示されたＱＲコードとバーコードでなる光学コードに記録された商品情報を運用部そのものでタグアプレットに変換し、出力部からコンテンツとして出力し、ＮＦＣ移動端末に無線で提供して出力するようにする利点がある。
図１５は本発明の第６実施例による商品情報提供システムを説明する機能構成図示図である。
【０２０６】
以下、添付図面を参照して詳細に説明すれば、第６実施例による商品情報提供システム６０００は、パネル部６１００及び運用部６２００を含む器機部６０９０と、サーバー部６３００と、商品１４００と、ＮＦＣ移動端末１５００とを含むもので、第５実施例による商品情報提供システム５０００の構成と一部類似している。
【０２０７】
器機部６０９０はパネル部６１００と運用部６２００を含み、ＮＦＣ方式のリーダーと移動端末の中で選択されたいずれか一つとなることができ、以下の説明で同様に適用する。
【０２０８】
パネル部６１００は、カメラ部６１１０、出力部６１２０、ＮＦＣアンテナ部６１３０、及びバーコードスキャナー部６１４０を含む構成で、第５実施例パネル部５１００の構成と同様であるので、重複説明をしないことにし、第６実施例の説明に必要な部分のみを説明する。
【０２０９】
運用部６２００は、ＱＲ分析部６２１０、プロセス部６２２０、ＮＦＣコントローラ部６２３０、タグアプレット記録部６２４０、出力制御部６２５０、バーコード分析部６２６０、及びタグアプレット発給部６２７０を含む構成である。
【０２１０】
サーバー部６３００は商品情報ＤＢ部６３１０とタグアプレット発給部６３２０を含む構成であり、商品情報ＤＢ部６３１０は、リンク情報に関連した多様な商品情報を記録し、タグアプレット発給部６３２０は、商品情報をタグアプレットに変換する。
【０２１１】
第６実施例の運用部６２００の構成と第５実施例の運用部５２００の構成において互いに違う部分は、プロセス部６２２０がＮＦＣコントローラ部６２３０に直接接続するかまたはタグアプレット発給部６２７０を介して接続する違いがあるので、相違点の部分を中心に必要な部分を説明する。
プロセス部６２２０は、ＱＲ分析部６２１０から印加される商品データを分析して、リンク（ｌｉｎｋ）情報が含まれているかどうかを確認する。
ここで、プロセス部６２２０はバーコード分析部から印加される商品データの場合にも分析してリンク情報が含まれているかどうかを確認する。
バーコードにもリンク情報が含まれることができるのはいうまでもない。
【０２１２】
プロセス部６２２０は、ＱＲ分析部６２１０またはバーコード分析部６２６０から印加される商品データを分析して、リンク情報が含まれていれば、リンク情報を分離してサーバー部６３００に印加（伝達）する。
【０２１３】
すなわち、第６実施例によるプロセス部６２２０は、第５実施例によるプロセス部５２２０の機能にリンク情報が含まれたかを判別し分離してサーバー部に印加（伝達）する機能をさらに備えていることに違いがある。
【０２１４】
サーバー部６３００は、プロセス部６２２０から印加されたリンク情報にあたる経路に接続する過程によって該当の商品情報を商品情報ＤＢ部６３１０から検索し、タグアプレット発給部６３２０に印加する。
タグアプレット発給部６３２０は、検索されて印加された商品情報をタグアプレットに変換して運用部６２００のプロセス部６２２０に提供する。
プロセス部６２２０は、サーバー部６３００から印加されたタグアプレットをＮＦＣコントローラ部６２３０と出力制御部６２５０に直接印加（伝達）する。
【０２１５】
一方、プロセス部６２２０は、ＱＲ分析部６２１０から印加された商品情報をタグアプレット発給部６２７０に印加（伝達）してタグアプレットに変換するように制御し、タグアプレット発給部６２７０は、商品情報が変換されたタグアプレットをＮＦＣコントローラ部６２３０とプロセス部６２２０に印加（伝達）し、プロセス部６２２０は、タグアプレットを出力制御部６２５０に印加（伝達）する。
【０２１６】
ＮＦＣコントローラ部６２３０は第５実施例で説明した機能を含むが、タグアプレット発給部６２７０とプロセス部６２２０からタグアプレットをそれぞれ受けることに違いがあり、タグアプレット記録部６２４０、出力制御部６２５０、ＱＲ分析部６２１０及びバーコード分析部６２６０の構成及び機能は第５実施例の説明と同様であるので、重複説明をしないことにする。
【０２１７】
本発明の第６実施例による構成は、商品の表面に表示されたＱＲコードとバーコードでなる光学コードに記録された商品情報を運用部自体でタグアプレットに変換する。
【０２１８】
特に、ＱＲコード及びバーコードに含まれるリンク情報を検出し、サーバー部から該当の商品情報を検索してタグアプレットに変換した後に提供するので、多様で豊かな商品情報を一緒に提供することができる利点がある。
図１６は本発明の第１実施例による商品情報提供システムの運用過程を説明する信号流れ図示図である。
以下、添付図面を参照して第４実施例の構成に基づいて第１実施例による運用過程を詳細に説明する。
ＮＦＣ移動端末１５００は初期にカードモードで運用され、運用部４２００は初期にリードモードで運用される。
【０２１９】
商品１４００の表面に表示された光学コードをパネル部４１００に接近させて光学コードをスキャン（ｓｃａｎ）し（ＳＴ５０１０）、パネル部はスキャンされた光学コードを運用部４２００に伝達し、運用部で光学コードを認識して商品データに変換する（ＳＴ５０２０）。
【０２２０】
運用部は、変換された商品データをサーバー部に伝送し（ＳＴ５０３０）、サーバー部は商品データを分析して、リンク情報が含まれているかどうかを確認し（ＳＴ５０４０）、リンク情報が含まれている場合には、該当のリンク情報を用いて接続し、商品情報を検索する（ＳＴ５０５０）。
【０２２１】
サーバー部は、運用部から印加された商品データをタグアプレットに変換生成して発給し、リンクを通じて検索された商品情報がもっとある場合には、商品データとマッチングした状態でタグアプレットに変換生成して発給し（ＳＴ５０６０）、このようなタグアプレットを運用部に伝送する（ＳＴ５０７０）。
【０２２２】
運用部は、サーバー部が伝送したタグアプレットを割当領域に記録し（ＳＴ５０８０）、パネル部を監視して、ＮＦＣ移動端末１５００がタギングするかどうかを確認し、タギングすることが確認されれば（ＳＴ５０９０）、パネル部を介してＮＦＣ移動端末に識別子情報の検索を要請するとともに自動でモード切換を要請し、該当の結果を応答信号として受信する（ＳＴ５１００）。
【０２２３】
この際、ＮＦＣ移動端末は、駆動アプレットをウェークアップして活性化状態で運用し、カードモードをリードモードに切り換え（ＳＴ５１１０）、運用部はリードモードからカードモードに切り換える（ＳＴ５１２０）。
【０２２４】
カードモードに切り換えた運用部は、記録されたタグアプレットをパネル部を通じて１３．５６ＭＨｚ帯域の周波数を使うので、ＮＦＣ移動端末に伝送し、ＮＦＣ移動端末はエラーなしに受信したという応答信号を返信する（ＳＴ５１３０）。
【０２２５】
運用部は、タグアプレットがエラーなしに伝送されたことが確認されれば、該当のタグアプレットの記録を削除し（ＳＴ５１４０）、ＮＦＣ移動端末は受信されたタグアプレットを駆動して商品情報を出力する（ＳＴ５１５０）。
【０２２６】
本発明は、商品に表示されたバーコードまたはＱＲコードでなる光学コードを用いて商品情報をＮＦＣ移動端末にコンテンツとしてダウンロードし、いつでもどこでも簡便に再生して確認することができる利点がある。
図１７は本発明の第２実施例による商品情報提供システムの運用過程を説明する信号流れ図示図である。
以下、添付図面を参照して第４実施例の構成に基づいて第２実施例による運用過程を詳細に説明する。
第２実施例による運用過程の相違点は、ＮＦＣ移動端末１５００と運用部４２００の初期運用モードが指定されて設定されないことである。
【０２２７】
すなわち、ＮＦＣ移動端末１５００と運用部４２００はそれぞれリードモードで運用される状態からカードモードに運用され、さらにカードモードで運用される状態からリードモードに運用される過程を自動で繰り返す。
したがって、モード転換要請及び該当の応答信号を伝送する過程が必要でないことが第１実施例による運用過程との相違点である。
以下の説明では相違点の部分のみを中心に説明する。
【０２２８】
初期に、ＮＦＣ移動端末１５００と運用部４２００はリードモードまたはカードモードのいずれか一つのモードで運用され、自体で任意に設定された周期単位で運用モードを自動で変換する。
【０２２９】
添付の図面において、ＳＴ６０１０〜ＳＴ６０９０の過程は第１実施例の運用過程によるＳＴ５０１０〜ＳＴ５０９０の過程と同様であるので、重複説明をしないことにする。
【０２３０】
運用部４２００は、パネル部４１００を監視して、ＮＦＣ移動端末１５００がタギングしたことが確認された場合、ＮＦＣ移動端末に識別子情報の検索を要請し、検索された結果の識別子情報を応答信号として受信する（ＳＴ６１００）。
【０２３１】
ＮＦＣ移動端末は、駆動アプレットをウェークアップして活性化状態で運用し、リーダーモードループタイムを駆動してリーダーモードに自動で切り換える（ＳＴ６１１０）。
運用部においても、カードモードループタイムを駆動してカードモードに自動で切り換える（ＳＴ６１２０）。
【０２３２】
また、添付の図面において、ＳＴ６１３０〜ＳＴ６１５０の過程は第１実施例の運用過程によるＳＴ５１３０〜ＳＴ５１５０の過程と同様であるので、重複説明をしないことにする。
【０２３３】
第２実施例による運用過程は、ＮＦＣ移動端末１５００と運用部４２００でモード変換のための信号を互いに送受信しないので、信号を処理する段階が簡単になって処理速度が速い利点がある。
図１８は本発明の一実施例によるＮＦＣタグ生成装置と移動端末の図示図、図１９は本発明の一実施例によるＮＦＣタグ生成装置の構成図である。
【０２３４】
図１８を参考すれば、本発明の一実施例によるＮＦＣタグ生成装置２０は、静止画像、動画または音楽を含むコンテンツを外部に出力及び再生することができる。
【０２３５】
使用者は、ＮＦＣ通信可能なＮＦＣ端末１０をＮＦＣタグ生成装置２０に持って行き、静止画像、動画または音楽を含むコンテンツをタグデータの形態として受けることができる。
【０２３６】
図１９を参考すれば、コンテンツを外部に出力してＮＦＣ端末１０でタグデータを伝送するＮＦＣタグ生成装置２０は、ＮＦＣコントローラ部２１０、運用制御部２２０、メモリ部２３０、タグ記録部２４０、コンテンツ出力部２５０、ＮＦＣアンテナ部２６０、及び通信インターフェース部２７０を含んでなる。
ＮＦＣタグ生成装置２０は、コンテンツ出力部２５０を通じて一つ以上のコンテンツを出力することができる。
コンテンツは、写真のような静止画像、動画または音楽などの再生可能な媒体を含むことができる。
【０２３７】
コンテンツ出力部２５０は、使用者の操作または前もって決められたデフォルト（ｄｅｆａｕｌｔ）設定によってコンテンツの選択を入力として受けることができる。
【０２３８】
好ましくは、コンテンツ出力部２５０にタッチスクリーンが含まれて構成され、一つ以上のコンテンツが一定の時間間隔を置いて交差して出力されれば、使用者はタッチスクリーンをタッチする方式でＮＦＣ端末１０で伝送すべきコンテンツを選択する命令を伝達することができる。
【０２３９】
一方、コンテンツ出力部２５０に使用者が直接選択する命令を伝達しなくても、ＮＦＣ端末１０をＮＦＣタグ生成装置２０にタギングする場合、タグ生成装置２０がＮＦＣ端末１０の信号を感知するようになる。
【０２４０】
これにより、コンテンツ出力部２５０による別のコンテンツ選択命令なしに、前もって決められたデフォルト（ｄｅｆａｕｌｔ）設定によって特定のコンテンツが選択されるように構成することができる。
運用制御部２２０は、コンテンツ出力部２５０によって選択されたコンテンツに対応するタグデータを検索することができる。
コンテンツ出力部２５０によって外部に出力される一つ以上のコンテンツはそれぞれ対応するタグデータが存在する。
【０２４１】
運用制御部２２０は、コンテンツ出力部２５０によってコンテンツが選択されれば、選択された命令信号を感知して、該当のコンテンツに対応するタグデータを検索することができる。
ＮＦＣコントローラ部２１０は、コンテンツ出力部２５０で選択されたコンテンツに対応する伝送モードを設定することができる。
運用制御部２２０は、選択された該当のコンテンツに対応する伝送モードの転換制御信号をＮＦＣコントローラ部２１０に伝達するようになる。
【０２４２】
ＮＦＣ通信によってデータを伝送する方式は、カードモード、Ｐ２Ｐモード、及びＲＷモードに区分することができ、コンテンツの種類によって各モード別に伝送方式を異にするか、あるいはすべての方式を適用することができる。
【０２４３】
好ましくは、カードモード、Ｐ２Ｐモード、及びＲＷモードが連続して変わるモードポーリング（ｍｏｄｅ
ｐｏｌｌｉｎｇ）状態でコンテンツにあたる伝送方式が決定されれば、該当の伝送モードでモード変動が止まる方式を適用することができる。
メモリ部２３０は、外部に出力するコンテンツとコンテンツにそれぞれ対応するタグデータを格納することができる。
【０２４４】
メモリ部２３０は、コンテンツに係わるデータとタグデータを、それぞれメモリ部２３０にタグデータＤＢ部とコンテンツＤＢ部の別途の格納空間に構成して格納することができる。
タグ記録部２４０は一つ以上であることができ、ＮＦＣタグ生成装置２０の外部に伝送すべきタグデータを一時記録することができる。
【０２４５】
タグ記録部２４０は、ＮＦＣコントローラ部２１０、運用制御部２２０、及びメモリ部２３０の中で選択されたいずれか一つ以上の構成に含まれることができる。
【０２４６】
運用制御部２２０は、使用者が選択したコンテンツに対応するタグデータをＮＦＣ端末１０に伝送するために、タグ記録部２４０に該当のタグデータを記録する制御信号をＮＦＣコントローラ部２１０に伝達することができる。
ＮＦＣアンテナ部２６０は、ＮＦＣ通信可能なＮＦＣ端末１０にＮＦＣ通信方式でタグデータを伝送することができる。
【０２４７】
使用者が選択したコンテンツを受けるために、ＮＦＣ端末１０をＮＦＣタグ生成装置２０に近付けてタギングすれば、ＮＦＣタグ生成装置２０は、ＮＦＣアンテナ部２６０によって前もって設定された伝送モードで該当のタグデータを伝送するようになる。
【０２４８】
通信インターフェース部２７０は、メモリ部２３０に格納されるコンテンツまたはタグデータに関する情報を新しいコンテンツまたはタグデータに関する情報に更新することができる。
このために、通信インターフェース部２７０は、別途のコンテンツまたはタグデータ提供サーバーと通信することができる。
通信インターフェース部２７０は、移動通信端末の機能を遂行するための移動通信網に接続可能な通信装置を一緒に含んでなることができる。
図２０は本発明の一実施例によるＮＦＣタグ伝送方法の流れ図である。
Ｓ１０段階は、ＮＦＣタグ生成装置２０からコンテンツを外部に出力し、使用者からコンテンツ選択の入力を受ける段階である。
ＮＦＣ生成装置２０は一つ以上のコンテンツを外部に出力し、使用者は伝送して受けるコンテンツを選択することができる。
Ｓ２０段階は、使用者がＮＦＣタグ生成装置２０にタグデータを要請する段階である。
Ｓ１０段階において、使用者が所望のコンテンツを選択した場合には、ＮＦＣタグ生成装置２０の内部で自動でタグデータの要請信号が伝送される。
Ｓ３０段階はＳ１０段階で選択されたコンテンツに対応する伝送モードの設定を分析する段階である。
【０２４９】
ＮＦＣ通信によってデータを伝送する方式は、カードモード、Ｐ２Ｐモード、及びＲＷモードに区分することができ、コンテンツの種類によって各モード別に伝送方式を異にするか、あるいはすべての方式を適用することができる。
【０２５０】
好ましくは、カードモード、Ｐ２Ｐモード、及びＲＷモードが連続して変わるモードポーリング（ｍｏｄｅ
ｐｏｌｌｉｎｇ）状態でコンテンツにあたる伝送方式が決定されれば、該当の伝送モードでモード変動が止まる方式を適用することができる。
Ｓ４０段階はＳ３０段階で分析されて決定された伝送モードによるアプリケーションを駆動する段階である。
Ｓ５０段階は選択されたコンテンツに対応するタグデータを検索する段階である。
【０２５１】
Ｓ６０段階は、ＮＦＣ端末１０をＮＦＣタグ生成装置２０に、使用者が選択したコンテンツを受けるために、近付けてタギングすれば、ＮＦＣタグ生成装置２０はＳ３０段階で設定された伝送モードに該当のタグデータを伝送するようになる。
【０２５２】
一方、Ｓ１０段階でＮＦＣタグ生成装置２０にコンテンツを選択する命令なしにＮＦＣ端末１０をタギングする場合には、前もって決められた伝送モードによって前もって決められたタグデータをＮＦＣ端末１０に伝送することができる。
【０２５３】
すなわち、ＮＦＣタグ生成装置２０においてＮＦＣ端末１０が近接してＮＦＣ通信のための信号が感知される場合には、予め決められた方式によってコンテンツを選択するように設定することができる。
【０２５４】
好ましくは、Ｓ１０段階で、ＮＦＣタグ生成装置２０にコンテンツを選択する命令なしにＮＦＣ端末１０をＮＦＣタグ発生装置２０にタギングする場合には、タギングする当時のコンテンツが選択され、該当のコンテンツに対応するタグデータをＮＦＣ端末１０に伝送することができる。
図２１は本発明の一実施例によるＮＦＣタグ伝送方法の流れ図である。
Ｓ１００段階〜Ｓ３００段階は図３のＳ１０段階〜Ｓ３０段階と同様であるので、その詳細な説明を省略する。
Ｓ４００段階は選択されたコンテンツに対応するタグデータを検索する段階である。
Ｓ５００段階はＳ４００段階で検索されたタグデータを別途の格納空間に記録する段階である。
【０２５５】
Ｓ６００段階は、ＮＦＣ端末１０をＮＦＣタグ生成装置２０に、使用者が選択したコンテンツを受けるために、近付けてタギングすれば、ＮＦＣタグ生成装置２０は別途の格納空間に格納されたタグデータをＳ３０段階で設定された伝送モードでＮＦＣ端末１０に伝送するようになる。
【０２５６】
一方、Ｓ１００段階で、ＮＦＣタグ生成装置２０にコンテンツを選択する命令なしにＮＦＣ端末１０をＮＦＣタグ発生装置２０にタギングする場合には、前もって決められた伝送モードによって前もって決められたタグデータをＮＦＣ端末１０に伝送することができる。
【０２５７】
すなわち、ＮＦＣタグ生成装置２０においてＮＦＣ端末１０が近接してＮＦＣ通信のための信号が感知される場合には、予め決められた方式によってコンテンツを選択するように設定することができる。
【０２５８】
好ましくは、Ｓ１００段階で、コンテンツを選択する命令なしにＮＦＣ端末１０をＮＦＣタグ発生装置２０にタギングする場合には、タギングする当時のコンテンツが選択され、該当のコンテンツに対応するタグデータをＮＦＣ端末１０に伝送することができる。
【０２５９】
以上では本発明の実施例を参照して説明したが、当該技術分野の通常の知識を持った者であれば、下記の特許請求の範囲に記載された本発明の思想及び領域から逸脱しない範囲内で本発明を多様に修正及び変更させることができることが理解可能であろう。
【産業上の利用可能性】
【０２６０】
前記のような構成の本発明は、移動端末を用いて広告の出力媒体をタギングするので、広告の内容をデータとして受けて記録し、広告媒体から遠く移動した状態でも広告の内容を繰り返し確認するかあるいは時間を置いて分析することができる使用上の便利さがり、前記のような構成の本発明は単一出力媒体を用いて多数の多様な内容の広告を該当のマルチメディア情報として出力してデータとして提供する産業的利用効果がある。
【図１】
0005841614.tif 000002
【図２】
0005841614.tif 000003
【図３】
0005841614.tif 000004
【図４】
0005841614.tif 000005
【図５】
0005841614.tif 000006
【図６】
0005841614.tif 000007
【図７】
0005841614.tif 000008
【図８】
0005841614.tif 000009
【図９】
0005841614.tif 000010
【図１０】
0005841614.tif 000011
【図１１】
0005841614.tif 000012
【図１２】
0005841614.tif 000013
【図１３】
0005841614.tif 000014
【図１４】
0005841614.tif 000015
【図１５】
0005841614.tif 000016
【図１６】
0005841614.tif 000017
【図１７】
0005841614.tif 000018
【図１８】
0005841614.tif 000019
【図１９】
0005841614.tif 000020
【図２０】
0005841614.tif 000021
【図２１】
0005841614.tif 000022